(57)【特許請求の範囲】
【請求項１】
他の通信装置から送信されてくるデータを受信する受信手段と、データを記憶する記憶手段と、演算処理を行う演算手段と、データを他の通信装置に送信する送信手段とを備え、
前記受信手段は、芳香液を収容するカートリッジである芳香カートリッジの装填が可能な複数の端末装置のうちの任意の端末装置から、当該端末装置を識別する端末識別データと、現在装填されている芳香カートリッジもしくは当該芳香カートリッジに収容されている芳香液の種類を識別するカートリッジ識別データとを受信し、
前記記憶手段は、前記受信手段により一の端末装置から受信された前記端末識別データに対応付けて、当該一の端末装置から受信された前記カートリッジ識別データを当該一の端末装置の属性を示す属性データの全部もしくは一部として記憶し、
前記受信手段は、前記複数の端末装置のうちの任意の端末装置から、前記複数の端末装置のうちの１以上の端末装置の各々における現在の芳香カートリッジの装填状態を示すステイタスデータの送信を要求する要求データを受信し、
前記演算手段は、前記受信手段により前記要求データが受信された場合、前記要求データに応じて、前記記憶手段に記憶されている端末識別データおよび当該端末識別データに対応付けて記憶されている属性データに基づき前記ステイタスデータを生成し、
前記送信手段は、前記演算手段により生成された前記ステイタスデータを前記要求データの送信元の端末装置に送信する
サーバ装置。
【請求項２】
前記受信手段は、前記複数の端末装置のうちの任意の端末装置から、前記複数の端末装置のうちの当該任意の端末装置とは異なる端末装置を宛先とするメッセージを示すメッセージデータもしくは通話の呼び出しを示す呼出データを受信し、
前記送信手段は、前記受信手段により前記メッセージデータもしくは前記呼出データが受信された場合、前記メッセージデータもしくは前記呼出データの宛先である端末装置に対し、前記メッセージデータもしくは前記呼出データを送信する
請求項１に記載のサーバ装置。
【請求項３】
前記記憶手段は、前記記憶手段に記憶されている端末識別データもしくは当該端末識別データに対応付けて記憶されている属性データに基づき前記複数の端末装置の各々の間でメッセージを示すメッセージデータもしくは通話の呼び出しを示す呼出データの送受信の可否を判定するための条件を示す判定条件データを記憶し、
前記演算手段は、前記記憶手段に記憶されている前記判定条件データに基づきメッセージデータもしくは呼出データの送信が許可される端末装置を判定し、当該判定した端末装置に関する前記ステイタスデータを生成する
請求項２に記載のサーバ装置。
【請求項４】
前記受信手段は、前記複数の端末装置のうちの任意の端末装置から、当該端末装置に装填されている芳香カートリッジから芳香液が放出された回数を示す放出回数データ、当該芳香カートリッジから放出された芳香液の量を示す放出量データ、および当該芳香カートリッジに収容されている芳香液の残量を示す残量データのうちの少なくとも１つを受信し、
前記記憶手段は、前記受信手段により受信された前記放出回数データ、前記放出量データ、および前記残量データのうちの少なくとも１つを、当該データの送信元の端末装置を識別する端末識別データに対応付けて、前記属性データの一部として記憶する
請求項１乃至３のいずれかに記載のサーバ装置。
【請求項５】
前記受信手段は、前記複数の端末装置のうちの任意の端末装置から、当該端末装置の現在の位置を示す位置データを受信し、
前記記憶手段は、前記受信手段により受信された前記位置データを、当該位置データの送信元の端末装置を識別する端末識別データに対応付けて、前記属性データの一部として記憶し、
前記演算手段は、前記記憶手段に記憶されている前記属性データに含まれる位置データに基づき各々の端末装置の位置を地図上に示す前記ステイタスデータを生成する
請求項１乃至４のいずれかに記載のサーバ装置。
【請求項６】
前記受信手段は、通信装置から、１以上の端末装置を端末識別データもしくは属性データに基づき抽出する条件を示す抽出条件データを受信し、
前記演算手段は、前記記憶手段に記憶されている端末識別データおよび当該端末識別データに対応付けて記憶されている属性データの中から前記受信手段により受信された前記抽出条件データにより示される条件を満たす端末識別データおよび当該端末識別データに対応付けて記憶されている属性データを抽出し、
前記送信手段は、前記演算手段により抽出された端末識別データおよび当該端末識別データに対応付けて記憶されている属性データを、前記通信装置に送信する
請求項１乃至５のいずれかに記載のサーバ装置。
【請求項７】
前記受信手段は、前記複数の端末装置のうちの任意の端末装置から、属性データに基づき１以上の端末装置を抽出する条件を示す抽出条件データを受信し、
前記演算手段は、前記記憶手段に記憶されている属性データの中から前記受信手段により端末装置から受信された前記抽出条件データにより示される条件を満たす属性データを抽出し、当該抽出した属性データに対応付けて前記記憶手段に記憶されている端末識別データにより示される端末装置に関する前記ステイタスデータを生成する
請求項１乃至６のいずれかに記載のサーバ装置。
【請求項８】
サーバ装置が、芳香液を収容するカートリッジである芳香カートリッジの装填が可能な複数の端末装置のうちの任意の端末装置から、当該端末装置を識別する端末識別データと、現在装填されている芳香カートリッジもしくは当該芳香カートリッジに収容されている芳香液の種類を識別するカートリッジ識別データとを受信するステップと、
前記サーバ装置が、一の端末装置から受信した前記端末識別データに対応付けて、当該一の端末装置から受信した前記カートリッジ識別データを当該一の端末装置の属性を示す属性データの全部もしくは一部として記憶するステップと、
前記サーバ装置が、前記複数の端末装置のうちの任意の端末装置から、前記複数の端末装置のうちの１以上の端末装置の各々における現在の芳香カートリッジの装填状態を示すステイタスデータの送信を要求する要求データを受信するステップと、
前記サーバ装置が、前記要求データを受信した場合、前記要求データに応じて、記憶している端末識別データおよび当該端末識別データに対応付けて記憶している属性データに基づき前記ステイタスデータを生成するステップと、
前記サーバ装置が、生成した前記ステイタスデータを前記要求データの送信元の端末装置に送信するステップと
を備える方法。
【請求項９】
前記サーバ装置が、前記複数の端末装置のうちの任意の端末装置から、前記複数の端末装置のうちの当該任意の端末装置とは異なる端末装置を宛先とするメッセージを示すメッセージデータもしくは通話の呼び出しを示す呼出データを受信するステップと、
前記サーバ装置が、前記メッセージデータもしくは前記呼出データを受信した場合、前記メッセージデータもしくは前記呼出データの宛先である端末装置に対し、前記メッセージデータもしくは前記呼出データを送信するステップと
を備える請求項８に記載の方法。
【請求項１０】
前記サーバ装置が、記憶している端末識別データもしくは当該端末識別データに対応付けて記憶している属性データに基づき前記複数の端末装置の各々の間でメッセージを示すメッセージデータもしくは通話の呼び出しを示す呼出データの送受信の可否を判定するための条件を示す判定条件データを記憶するステップを備え、
前記サーバ装置は、記憶している前記判定条件データに基づきメッセージデータもしくは呼出データの送信が許可される端末装置を判定し、前記ステイタスデータを生成するステップにおいて、当該判定した端末装置に関する前記ステイタスデータを生成する
請求項９に記載の方法。
【請求項１１】
前記サーバ装置が、前記複数の端末装置のうちの任意の端末装置から、当該端末装置に装填されている芳香カートリッジから芳香液が放出された回数を示す放出回数データ、当該芳香カートリッジから放出された芳香液の量を示す放出量データ、および当該芳香カートリッジに収容されている芳香液の残量を示す残量データのうちの少なくとも１つを受信するステップと、
前記サーバ装置が、受信した前記放出回数データ、前記放出量データ、および前記残量データのうちの少なくとも１つを、当該データの送信元の端末装置を識別する端末識別データに対応付けて、前記属性データの一部として記憶するステップと
を備える請求項８乃至１０のいずれかに記載の方法。
【請求項１２】
前記サーバ装置が、前記複数の端末装置のうちの任意の端末装置から、当該端末装置の現在の位置を示す位置データを受信するステップと、
前記サーバ装置が、受信した前記位置データを、当該位置データの送信元の端末装置を識別する端末識別データに対応付けて、前記属性データの一部として記憶するステップと
を備え、
前記サーバ装置は、前記ステイタスデータを生成するステップにおいて、記憶している前記属性データに含まれる位置データに基づき各々の端末装置の位置を地図上に示す前記ステイタスデータを生成する
請求項８乃至１１のいずれかに記載の方法。
【請求項１３】
前記サーバ装置が、通信装置から、１以上の端末装置を端末識別データもしくは属性データに基づき抽出する条件を示す抽出条件データを受信するステップと、
前記サーバ装置が、記憶している端末識別データおよび当該端末識別データに対応付けて記憶している属性データの中から受信された前記抽出条件データにより示される条件を満たす端末識別データおよび当該端末識別データに対応付けて記憶している属性データを抽出するステップと、
前記サーバ装置が、抽出した端末識別データおよび当該端末識別データに対応付けて記憶している属性データを、前記通信装置に送信するステップと
を備える請求項８乃至１２のいずれかに記載の方法。
【請求項１４】
前記サーバ装置が、前記複数の端末装置のうちの任意の端末装置から、属性データに基づき１以上の端末装置を抽出する条件を示す抽出条件データを受信するステップを備え、
前記サーバ装置は、前記ステイタスデータを生成するステップにおいて、記憶している属性データの中から、端末装置から受信した前記抽出条件データにより示される条件を満たす属性データを抽出し、当該抽出した属性データに対応付けて記憶している端末識別データにより示される端末装置に関する前記ステイタスデータを生成する
請求項８乃至１３のいずれかに記載の方法。
【請求項１５】
他の通信装置との間でデータ通信を行う通信手段を備えるコンピュータを
請求項１乃至７のいずれかに記載のサーバ装置が備える前記受信手段、前記記憶手段、前記演算手段、前記送信手段として機能させるプログラム。
【請求項１６】
他の通信装置から送信されてくるデータを受信する受信手段と、データを記憶する記憶手段と、データを他の通信装置に送信する送信手段と、画像を表示する表示手段と、ユーザによる所定の操作に応じて所定のデータを生成することによりユーザによるデータ入力を受け付ける入力手段と、芳香を発生させる芳香発生手段と、他の構成部を制御する制御手段とを備え、
前記芳香発生手段は、芳香液を収容するカートリッジである芳香カートリッジの装填を受容する中空部と、前記中空部に装填された芳香カートリッジに収容されている芳香液の一部を当該芳香カートリッジの外部に放出させる放出手段と、前記中空部に装填された芳香カートリッジに記録されているデータを読み取る読取手段とを有し、
前記送信手段は、前記記憶手段に記憶されている自機を識別するデータである端末識別データ、もしくはユーザの操作に応じて前記入力手段により生成された自機を識別するデータである端末識別データをサーバ装置に送信し、
前記読取手段は、前記中空部に現在装填されている芳香カートリッジに記録されているデータを読み取り、
前記送信手段は、前記読取手段により読み取られたデータに含まれる芳香カートリッジもしくは芳香液の種類を識別するカートリッジ識別データを前記サーバ装置に送信し、
前記送信手段は、自機以外の複数の端末装置のうちの１以上の端末装置の各々における現在の芳香カートリッジの装填状態を示すステイタスデータの送信を要求する要求データを前記サーバ装置に送信し、
前記受信手段は、前記送信手段により送信された前記要求データに対する応答として前記サーバ装置から送信されてくる前記ステイタスデータを受信し、
前記表示手段は、前記受信手段により受信された前記ステイタスデータの内容を示す画像を表示する
端末装置。
【請求項１７】
前記受信手段は、前記サーバ装置から、前記自機以外の複数の端末装置のうちの一の端末装置を送信元とするメッセージを示すメッセージデータもしくは通話の呼び出しを示す呼出データを受信し、
前記制御手段は、前記受信手段により前記メッセージデータもしくは前記呼出データが受信された時、前記放出手段に前記芳香液の放出を実行させる
請求項１６に記載の端末装置。
【請求項１８】
前記送信手段は、前記中空部に装填されている芳香カートリッジから芳香液が放出された回数を示す放出回数データ、当該芳香カートリッジから放出された芳香液の量を示す放出量データ、および当該芳香カートリッジに収容されている芳香液の残量を示す残量データのうちの少なくとも１つを前記サーバ装置に送信する
請求項１６または１７に記載の端末装置。
【請求項１９】
自機の現在の位置を示す位置データを取得する位置データ取得手段を備え、
前記送信手段は、前記位置データ取得手段により取得された位置データを前記サーバ装置に送信する
請求項１６乃至１８のいずれかに記載の端末装置。
【請求項２０】
前記入力手段は、ユーザの操作に応じて、端末装置の属性を示す属性データに基づき１以上の端末装置を抽出する条件を示す抽出条件データを生成し、
前記送信手段は、前記入力手段により生成された前記抽出条件データを前記サーバ装置に送信し、
前記受信手段は、前記送信手段により送信された前記抽出条件データに基づき前記サーバ装置において抽出された端末装置に関する前記ステイタスデータを受信する
請求項１６乃至１９のいずれかに記載の端末装置。
【請求項２１】
芳香を発生させる芳香発生手段を備える端末装置が、記憶している自機を識別するデータである端末識別データ、もしくはユーザの操作に応じて生成された自機を識別するデータである端末識別データをサーバ装置に送信するステップと、
前記端末装置が、前記芳香発生手段に装填されている芳香液を収容するカートリッジである芳香カートリッジに記録されているデータを読み取るステップと、
前記端末装置が、前記読み取ったデータに含まれる芳香カートリッジもしくは芳香液の種類を識別するカートリッジ識別データを前記サーバ装置に送信するステップと、
前記端末装置が、自機以外の複数の端末装置のうちの１以上の端末装置の各々における現在の芳香カートリッジの装填状態を示すステイタスデータの送信を要求する要求データを前記サーバ装置に送信するステップと、
前記端末装置が、送信した前記要求データに対する応答として前記サーバ装置から送信されてくる前記ステイタスデータを受信するステップと、
前記端末装置が、受信した前記ステイタスデータの内容を示す画像を表示するステップと
を備える方法。
【請求項２２】
前記端末装置が、前記サーバ装置から、前記自機以外の複数の端末装置のうちの一の端末装置を送信元とするメッセージを示すメッセージデータもしくは通話の呼び出しを示す呼出データを受信するステップと、
前記端末装置が、前記メッセージデータもしくは前記呼出データを受信した時、前記芳香発生手段により、前記芳香発生手段に装填されている芳香カートリッジから芳香液を放出させるステップと
を備える請求項２１に記載の方法。
【請求項２３】
前記端末装置が、前記芳香発生手段に装填されている芳香カートリッジから芳香液が放出された回数を示す放出回数データ、当該芳香カートリッジから放出された芳香液の量を示す放出量データ、および当該芳香カートリッジに収容されている芳香液の残量を示す残量データのうちの少なくとも１つを前記サーバ装置に送信するステップ
を備える請求項２１または２２に記載の方法。
【請求項２４】
前記端末装置が、自機の現在の位置を示す位置データを取得するステップと、
前記端末装置が、取得した前記位置データを前記サーバ装置に送信するステップと
を備える請求項２１乃至２３のいずれかに記載の方法。
【請求項２５】
前記端末装置が、ユーザの操作に応じて、端末装置の属性を示す属性データに基づき１以上の端末装置を抽出する条件を示す抽出条件データを生成するステップと、
前記端末装置が、生成した前記抽出条件データを前記サーバ装置に送信するステップと
を備え、
前記端末装置は、前記ステイタスデータを受信するステップにおいて、送信した前記抽出条件データに基づき前記サーバ装置において抽出された端末装置に関する前記ステイタスデータを受信する
請求項２１乃至２４のいずれかに記載の方法。
【請求項２６】
他の通信装置との間でデータ通信を行う通信手段と、芳香を発生させる芳香発生手段とを備えるコンピュータを、
請求項１６乃至２０のいずれかに記載の端末装置が備える前記受信手段、前記記憶手段、前記送信手段、前記表示手段、前記入力手段、前記制御手段として機能させるプログラム。
【発明の詳細な説明】
【技術分野】
【０００１】
本発明は、ネットワークを利用して多数のメンバの間でメッセージの交換や通話を行うことを可能とする技術に関する。
【背景技術】
【０００２】
インターネットや携帯電話網等の公衆通信ネットワークを介して、テキストによるメッセージの交換や音声による通話を行うための仕組みが普及している。
【０００３】
例えば、一般にインスタントメッセージングシステムと呼ばれるシステムは、各メンバが端末装置を用いて所定のサーバ装置にログインすると、そのメンバが予めメッセージの交換の承諾をし合った他のメンバのうち、現在ログオンしているメンバとの間で、リアルタイムにメッセージの交換を行ったり、音声による通話を行ったりすることを可能とするシステムである。
【０００４】
そのようなインスタントメッセージングシステムの中には、音声のみでなくビデオを伴うビデオ通話を行うことが可能なものや、データファイルの交換を行うことが可能なものもある。
【０００５】
例えば、特許文献１には、あるメンバが他のメンバとの間でテキストによるメッセージの交換を行っている際に、さらに他のメンバから通話の着信があり通話を開始した場合に、その通話の間、テキストによるメッセージの交換を行っている相手のメンバに対し通話中である旨の通知を行うことで、メッセージに対する返信ができないことを伝え、相手の不安や不快感を解消する、という仕組みが提案されている。
【先行技術文献】
【特許文献】
【０００６】
【特許文献１】特開２００５−２９５４１４号公報
【発明の概要】
【発明が解決しようとする課題】
【０００７】
従来のインスタントメッセージングシステムによれば、テキスト、音声、画像により互いに遠隔地にいるメンバ同士が様々な情報を交換することができる。しかしながら、それらのメッセージには、直接人と人とが出会って行われるリアルな世界において交換されるメッセージと比べ、どこか無味乾燥な印象が伴う。
【０００８】
本発明は、上記の事情に鑑み、ネットワークを介した情報交換における無味乾燥感を低減し、より楽しい情報交換を可能とする手段を提供することを目的とする。
【課題を解決するための手段】
【０００９】
人間の五感のうち嗅覚は他の感覚より原始的で本能により強く働きかける感覚であると言われている。近年では人間にとって心地よく感じる香りが人間の精神や身体における疲労を解消するなどの効能が知られるようになり、アロマセラピーと呼ばれるサービスも普及している。
【００１０】
本願発明者は、そのような効能を持つ香りを活用することで、無味乾燥な印象を伴う従来のネットワークを介した情報交換をより楽しいものに改善できることに想到した。具体的には、以下のとおりである。
【００１１】
まず、本発明は、
他の通信装置から送信されてくるデータを受信する受信手段と、データを記憶する記憶手段と、演算処理を行う演算手段と、データを他の通信装置に送信する送信手段とを備え、
前記受信手段は、芳香液を収容するカートリッジである芳香カートリッジの装填が可能な複数の端末装置のうちの任意の端末装置から、当該端末装置を識別する端末識別データと、現在装填されている芳香カートリッジもしくは当該芳香カートリッジに収容されている芳香液の種類を識別するカートリッジ識別データとを受信し、
前記記憶手段は、前記受信手段により一の端末装置から受信された前記端末識別データに対応付けて、当該一の端末装置から受信された前記カートリッジ識別データを当該一の端末装置の属性を示す属性データの全部もしくは一部として記憶し、
前記受信手段は、前記複数の端末装置のうちの任意の端末装置から、前記複数の端末装置のうちの１以上の端末装置の各々における現在の芳香カートリッジの装填状態を示すステイタスデータの送信を要求する要求データを受信し、
前記演算手段は、前記受信手段により前記要求データが受信された場合、前記要求データに応じて、前記記憶手段に記憶されている端末識別データおよび当該端末識別データに対応付けて記憶されている属性データに基づき前記ステイタスデータを生成し、
前記送信手段は、前記演算手段により生成された前記ステイタスデータを前記要求データの送信元の端末装置に送信する
サーバ装置を第１の実施態様として提案する。
【００１２】
また、本発明は、上記の第１の実施態様にかかるサーバ装置の好ましい一態様として、
前記受信手段は、前記複数の端末装置のうちの任意の端末装置から、前記複数の端末装置のうちの当該任意の端末装置とは異なる端末装置を宛先とするメッセージを示すメッセージデータもしくは通話の呼び出しを示す呼出データを受信し、
前記送信手段は、前記受信手段により前記メッセージデータもしくは前記呼出データが受信された場合、前記メッセージデータもしくは前記呼出データの宛先である端末装置に対し、前記メッセージデータもしくは前記呼出データを送信する
構成を第２の実施態様として提案する。
【００１３】
また、本発明は、上記の第２の実施態様にかかるサーバ装置の好ましい一態様として、
前記記憶手段は、前記記憶手段に記憶されている端末識別データもしくは当該端末識別データに対応付けて記憶されている属性データに基づき前記複数の端末装置の各々の間でメッセージを示すメッセージデータもしくは通話の呼び出しを示す呼出データの送受信の可否を判定するための条件を示す判定条件データを記憶し、
前記演算手段は、前記記憶手段に記憶されている前記判定条件データに基づきメッセージデータもしくは呼出データの送信が許可される端末装置を判定し、当該判定した端末装置に関する前記ステイタスデータを生成する
構成を第３の実施態様として提案する。
【００１４】
また、本発明は、上記の第１乃至第３のいずれかの実施態様にかかるサーバ装置の好ましい一態様として、
前記受信手段は、前記複数の端末装置のうちの任意の端末装置から、当該端末装置に装填されている芳香カートリッジから芳香液が放出された回数を示す放出回数データ、当該芳香カートリッジから放出された芳香液の量を示す放出量データ、および当該芳香カートリッジに収容されている芳香液の残量を示す残量データのうちの少なくとも１つを受信し、
前記記憶手段は、前記受信手段により受信された前記放出回数データ、前記放出量データ、および前記残量データのうちの少なくとも１つを、当該データの送信元の端末装置を識別する端末識別データに対応付けて、前記属性データの一部として記憶する
構成を第４の実施態様として提案する。
【００１５】
また、本発明は、上記の第１乃至第４のいずれかの実施態様にかかるサーバ装置の好ましい一態様として、
前記受信手段は、前記複数の端末装置のうちの任意の端末装置から、当該端末装置の現在の位置を示す位置データを受信し、
前記記憶手段は、前記受信手段により受信された前記位置データを、当該位置データの送信元の端末装置を識別する端末識別データに対応付けて、前記属性データの一部として記憶し、
前記演算手段は、前記記憶手段に記憶されている前記属性データに含まれる位置データに基づき各々の端末装置の位置を地図上に示す前記ステイタスデータを生成する
構成を第５の実施態様として提案する。
【００１６】
また、本発明は、上記の第１乃至第５のいずれかの実施態様にかかるサーバ装置の好ましい一態様として、
前記受信手段は、通信装置から、１以上の端末装置を端末識別データもしくは属性データに基づき抽出する条件を示す抽出条件データを受信し、
前記演算手段は、前記記憶手段に記憶されている端末識別データおよび当該端末識別データに対応付けて記憶されている属性データの中から前記受信手段により受信された前記抽出条件データにより示される条件を満たす端末識別データおよび当該端末識別データに対応付けて記憶されている属性データを抽出し、
前記送信手段は、前記演算手段により抽出された端末識別データおよび当該端末識別データに対応付けて記憶されている属性データを、前記通信装置に送信する
構成を第６の実施態様として提案する。
【００１７】
また、本発明は、上記の第１乃至第６のいずれかの実施態様にかかるサーバ装置の好ましい一態様として、
前記受信手段は、前記複数の端末装置のうちの任意の端末装置から、属性データに基づき１以上の端末装置を抽出する条件を示す抽出条件データを受信し、
前記演算手段は、前記記憶手段に記憶されている属性データの中から前記受信手段により端末装置から受信された前記抽出条件データにより示される条件を満たす属性データを抽出し、当該抽出した属性データに対応付けて前記記憶手段に記憶されている端末識別データにより示される端末装置に関する前記ステイタスデータを生成する
構成を第７の実施態様として提案する。
【００１８】
また、本発明は、
サーバ装置が、芳香液を収容するカートリッジである芳香カートリッジの装填が可能な複数の端末装置のうちの任意の端末装置から、当該端末装置を識別する端末識別データと、現在装填されている芳香カートリッジもしくは当該芳香カートリッジに収容されている芳香液の種類を識別するカートリッジ識別データとを受信するステップと、
前記サーバ装置が、一の端末装置から受信した前記端末識別データに対応付けて、当該一の端末装置から受信した前記カートリッジ識別データを当該一の端末装置の属性を示す属性データの全部もしくは一部として記憶するステップと、
前記サーバ装置が、前記複数の端末装置のうちの任意の端末装置から、前記複数の端末装置のうちの１以上の端末装置の各々における現在の芳香カートリッジの装填状態を示すステイタスデータの送信を要求する要求データを受信するステップと、
前記サーバ装置が、前記要求データを受信した場合、前記要求データに応じて、記憶している端末識別データおよび当該端末識別データに対応付けて記憶している属性データに基づき前記ステイタスデータを生成するステップと、
前記サーバ装置が、生成した前記ステイタスデータを前記要求データの送信元の端末装置に送信するステップと
を備える方法を第８の実施態様として提案する。
【００１９】
また、本発明は、上記の第８の実施態様にかかる方法の好ましい一態様として、
前記サーバ装置が、前記複数の端末装置のうちの任意の端末装置から、前記複数の端末装置のうちの当該任意の端末装置とは異なる端末装置を宛先とするメッセージを示すメッセージデータもしくは通話の呼び出しを示す呼出データを受信するステップと、
前記サーバ装置が、前記メッセージデータもしくは前記呼出データを受信した場合、前記メッセージデータもしくは前記呼出データの宛先である端末装置に対し、前記メッセージデータもしくは前記呼出データを送信するステップと
を備える構成を第９の実施態様として提案する。
【００２０】
また、本発明は、上記の第９の実施態様にかかる方法の好ましい一態様として、
前記サーバ装置が、記憶している端末識別データもしくは当該端末識別データに対応付けて記憶している属性データに基づき前記複数の端末装置の各々の間でメッセージを示すメッセージデータもしくは通話の呼び出しを示す呼出データの送受信の可否を判定するための条件を示す判定条件データを記憶するステップを備え、
前記サーバ装置は、記憶している前記判定条件データに基づきメッセージデータもしくは呼出データの送信が許可される端末装置を判定し、前記ステイタスデータを生成するステップにおいて、当該判定した端末装置に関する前記ステイタスデータを生成する
構成を第１０の実施態様として提案する。
【００２１】
また、本発明は、上記の第８乃至第１０のいずれかの実施態様にかかる方法の好ましい一態様として、
前記サーバ装置が、前記複数の端末装置のうちの任意の端末装置から、当該端末装置に装填されている芳香カートリッジから芳香液が放出された回数を示す放出回数データ、当該芳香カートリッジから放出された芳香液の量を示す放出量データ、および当該芳香カートリッジに収容されている芳香液の残量を示す残量データのうちの少なくとも１つを受信するステップと、
前記サーバ装置が、受信した前記放出回数データ、前記放出量データ、および前記残量データのうちの少なくとも１つを、当該データの送信元の端末装置を識別する端末識別データに対応付けて、前記属性データの一部として記憶するステップと
を備える構成を第１１の実施態様として提案する。
【００２２】
また、本発明は、上記の第８乃至第１１のいずれかの実施態様にかかる方法の好ましい一態様として、
前記サーバ装置が、前記複数の端末装置のうちの任意の端末装置から、当該端末装置の現在の位置を示す位置データを受信するステップと、
前記サーバ装置が、受信した前記位置データを、当該位置データの送信元の端末装置を識別する端末識別データに対応付けて、前記属性データの一部として記憶するステップと
を備え、
前記サーバ装置は、前記ステイタスデータを生成するステップにおいて、記憶している前記属性データに含まれる位置データに基づき各々の端末装置の位置を地図上に示す前記ステイタスデータを生成する
構成を第１２の実施態様として提案する。
【００２３】
また、本発明は、上記の第８乃至第１２のいずれかの実施態様にかかる方法の好ましい一態様として、
前記サーバ装置が、通信装置から、１以上の端末装置を端末識別データもしくは属性データに基づき抽出する条件を示す抽出条件データを受信するステップと、
前記サーバ装置が、記憶している端末識別データおよび当該端末識別データに対応付けて記憶している属性データの中から受信された前記抽出条件データにより示される条件を満たす端末識別データおよび当該端末識別データに対応付けて記憶している属性データを抽出するステップと、
前記サーバ装置が、抽出した端末識別データおよび当該端末識別データに対応付けて記憶している属性データを、前記通信装置に送信するステップと
を備える構成を第１３の実施態様として提案する。
【００２４】
また、本発明は、上記の第８乃至第１３のいずれかの実施態様にかかる方法の好ましい一態様として、
前記サーバ装置が、前記複数の端末装置のうちの任意の端末装置から、属性データに基づき１以上の端末装置を抽出する条件を示す抽出条件データを受信するステップを備え、
前記サーバ装置は、前記ステイタスデータを生成するステップにおいて、記憶している属性データの中から、端末装置から受信した前記抽出条件データにより示される条件を満たす属性データを抽出し、当該抽出した属性データに対応付けて記憶している端末識別データにより示される端末装置に関する前記ステイタスデータを生成する
構成を第１４の実施態様として提案する。
【００２５】
また、本発明は、
他の通信装置との間でデータ通信を行う通信手段を備えるコンピュータを
上記の第１乃至第７の実施態様のいずれかにかかるサーバ装置が備える前記受信手段、前記記憶手段、前記演算手段、前記送信手段として機能させるプログラム
を第１５の実施態様として提案する。
【００２６】
また、本発明は、
他の通信装置から送信されてくるデータを受信する受信手段と、データを記憶する記憶手段と、データを他の通信装置に送信する送信手段と、画像を表示する表示手段と、ユーザによる所定の操作に応じて所定のデータを生成することによりユーザによるデータ入力を受け付ける入力手段と、芳香を発生させる芳香発生手段と、他の構成部を制御する制御手段とを備え、
前記芳香発生手段は、芳香液を収容するカートリッジである芳香カートリッジの装填を受容する中空部と、前記中空部に装填された芳香カートリッジに収容されている芳香液の一部を当該芳香カートリッジの外部に放出させる放出手段と、前記中空部に装填された芳香カートリッジに記録されているデータを読み取る読取手段とを有し、
前記送信手段は、前記記憶手段に記憶されている自機を識別するデータである端末識別データ、もしくはユーザの操作に応じて前記入力手段により生成された自機を識別するデータである端末識別データをサーバ装置に送信し、
前記読取手段は、前記中空部に現在装填されている芳香カートリッジに記録されているデータを読み取り、
前記送信手段は、前記読取手段により読み取られたデータに含まれる芳香カートリッジもしくは芳香液の種類を識別するカートリッジ識別データを前記サーバ装置に送信し、
前記送信手段は、自機以外の複数の端末装置のうちの１以上の端末装置の各々における現在の芳香カートリッジの装填状態を示すステイタスデータの送信を要求する要求データを前記サーバ装置に送信し、
前記受信手段は、前記送信手段により送信された前記要求データに対する応答として前記サーバ装置から送信されてくる前記ステイタスデータを受信し、
前記表示手段は、前記受信手段により受信された前記ステイタスデータの内容を示す画像を表示する
端末装置を第１６の実施態様として提案する。
【００２７】
また、本発明は、上記の第１６の実施態様にかかる端末装置の好ましい一態様として、
前記受信手段は、前記サーバ装置から、前記自機以外の複数の端末装置のうちの一の端末装置を送信元とするメッセージを示すメッセージデータもしくは通話の呼び出しを示す呼出データを受信し、
前記制御手段は、前記受信手段により前記メッセージデータもしくは前記呼出データが受信された時、前記放出手段に前記芳香液の放出を実行させる
構成を第１７の実施態様として提案する。
【００２８】
また、本発明は、上記の第１６または第１７の実施態様にかかる端末装置の好ましい一態様として、
前記送信手段は、前記中空部に装填されている芳香カートリッジから芳香液が放出された回数を示す放出回数データ、当該芳香カートリッジから放出された芳香液の量を示す放出量データ、および当該芳香カートリッジに収容されている芳香液の残量を示す残量データのうちの少なくとも１つを前記サーバ装置に送信する
構成を第１８の実施態様として提案する。
【００２９】
また、本発明は、上記の第１６乃至第１８のいずれかの実施態様にかかる端末装置の好ましい一態様として、
自機の現在の位置を示す位置データを取得する位置データ取得手段を備え、
前記送信手段は、前記位置データ取得手段により取得された位置データを前記サーバ装置に送信する
構成を第１９の実施態様として提案する。
【００３０】
また、本発明は、上記の第１６乃至第１９のいずれかの実施態様にかかる端末装置の好ましい一態様として、
前記入力手段は、ユーザの操作に応じて、端末装置の属性を示す属性データに基づき１以上の端末装置を抽出する条件を示す抽出条件データを生成し、
前記送信手段は、前記入力手段により生成された前記抽出条件データを前記サーバ装置に送信し、
前記受信手段は、前記送信手段により送信された前記抽出条件データに基づき前記サーバ装置において抽出された端末装置に関する前記ステイタスデータを受信する
構成を第２０の実施態様として提案する。
【００３１】
また、本発明は、
芳香を発生させる芳香発生手段を備える端末装置が、記憶している自機を識別するデータである端末識別データ、もしくはユーザの操作に応じて生成された自機を識別するデータである端末識別データをサーバ装置に送信するステップと、
前記端末装置が、前記芳香発生手段に装填されている芳香液を収容するカートリッジである芳香カートリッジに記録されているデータを読み取るステップと、
前記端末装置が、前記読み取ったデータに含まれる芳香カートリッジもしくは芳香液の種類を識別するカートリッジ識別データを前記サーバ装置に送信するステップと、
前記端末装置が、自機以外の複数の端末装置のうちの１以上の端末装置の各々における現在の芳香カートリッジの装填状態を示すステイタスデータの送信を要求する要求データを前記サーバ装置に送信するステップと、
前記端末装置が、送信した前記要求データに対する応答として前記サーバ装置から送信されてくる前記ステイタスデータを受信するステップと、
前記端末装置が、受信した前記ステイタスデータの内容を示す画像を表示するステップと
を備える方法を第２１の実施態様として提案する。
【００３２】
また、本発明は、上記の第２１の実施態様にかかる方法の好ましい一態様として、
前記端末装置が、前記サーバ装置から、前記自機以外の複数の端末装置のうちの一の端末装置を送信元とするメッセージを示すメッセージデータもしくは通話の呼び出しを示す呼出データを受信するステップと、
前記端末装置が、前記メッセージデータもしくは前記呼出データを受信した時、前記芳香発生手段により、前記芳香発生手段に装填されている芳香カートリッジから芳香液を放出させるステップと
を備える構成を第２２の実施態様として提案する。
【００３３】
また、本発明は、上記の第２１または第２２の実施態様にかかる方法の好ましい一態様として、
前記端末装置が、前記芳香発生手段に装填されている芳香カートリッジから芳香液が放出された回数を示す放出回数データ、当該芳香カートリッジから放出された芳香液の量を示す放出量データ、および当該芳香カートリッジに収容されている芳香液の残量を示す残量データのうちの少なくとも１つを前記サーバ装置に送信するステップ
を備える構成を第２３の実施態様として提案する。
【００３４】
また、本発明は、上記の第２１乃至第２３のいずれかの実施態様にかかる方法の好ましい一態様として、
前記端末装置が、自機の現在の位置を示す位置データを取得するステップと、
前記端末装置が、取得した前記位置データを前記サーバ装置に送信するステップと
を備える構成を第２４の実施態様として提案する。
【００３５】
また、本発明は、上記の第２１乃至第２４のいずれかの実施態様にかかる方法の好ましい一態様として、
前記端末装置が、ユーザの操作に応じて、端末装置の属性を示す属性データに基づき１以上の端末装置を抽出する条件を示す抽出条件データを生成するステップと、
前記端末装置が、生成した前記抽出条件データを前記サーバ装置に送信するステップと
を備え、
前記端末装置は、前記ステイタスデータを受信するステップにおいて、送信した前記抽出条件データに基づき前記サーバ装置において抽出された端末装置に関する前記ステイタスデータを受信する
構成を第２５の実施態様として提案する。
【００３６】
また、本発明は、
他の通信装置との間でデータ通信を行う通信手段と、芳香を発生させる芳香発生手段とを備えるコンピュータを、
上記の第１６乃至第２０のいずれかの実施態様にかかる端末装置が備える前記受信手段、前記記憶手段、前記送信手段、前記表示手段、前記入力手段、前記制御手段として機能させるプログラム
を第２６の実施態様として提案する。
【発明の効果】
【００３７】
上記の第１の実施態様にかかるサーバ装置、第８の実施態様にかかる方法、第１６の実施態様にかかる端末装置、第２１の実施態様にかかる方法によれば、各メンバは、他のメンバの端末装置に現在装着されている芳香カートリッジの種類等の情報を知ることができる。
【００３８】
また、上記の第２の実施態様にかかるサーバ装置、第９の実施態様にかかる方法、第１７の実施態様にかかる端末装置、第２２の実施態様にかかる方法によれば、各メンバは、芳香カートリッジを装填している端末装置の他のメンバにメッセージの送信や通話の呼び出しを行うことで、それらのメッセージの送信先もしくは通話の呼び出し先の端末装置に芳香液の放出を行わせることができ、例えば夜遅くまで仕事をしている知人の気持ちを和ませる、といった香りの贈り物を贈ることができる。
【００３９】
また、上記の第３の実施態様にかかるサーバ装置、第１０の実施態様にかかる方法によれば、あるメンバは、そのメンバがメッセージの送信や通話の呼び出しを許可される相手のメンバのみに関し、それらのメンバの端末装置に現在装着されている芳香カートリッジの種類等の情報を知ることができる。従って、各メンバは、自分がいずれのメンバに対し香りの贈り物を行うことができるかを容易に知ることができる。
【００４０】
また、上記の第４の実施態様にかかるサーバ装置、第１１の実施態様にかかる方法、第１８の実施態様にかかる端末装置、第２３の実施態様にかかる方法によれば、各メンバの端末装置においてどのような芳香液がどれくらいの回数、もしくはどれくらいの量、過去に放出されたか、という情報や、現在装着されている芳香カートリッジにどれくらいの量の芳香液が残っているか、といった情報を利用することが可能となる。従って、例えば現在流行している香りの種類をランキングで示す、といった情報の提供が可能となったり、芳香液の残量が少ないメンバに対し、そのメンバの過去に使用した芳香液の種類に基づき、そのメンバが好むと思われる新しい芳香カートリッジの購入を提案したり、といった付加的な情報の提供が可能となる。
【００４１】
また、上記の第５の実施態様にかかるサーバ装置、第１２の実施態様にかかる方法、第１９の実施態様にかかる端末装置、第２４の実施態様にかかる方法によれば、各メンバは、他のメンバの現在位置を、そのメンバの端末装置に現在装着されている芳香カートリッジの種類等の情報とともに知ることができる。
【００４２】
また、上記の第６の実施態様にかかるサーバ装置、第１３の実施態様にかかる方法によれば、例えば占い情報などの付加的な情報を提供するためのサーバ装置が、各メンバの端末装置に現在装填されている、もしくは過去に装填された芳香カートリッジの種類に基づき占い情報を提供するなどといったことが可能となる。
【００４３】
また、上記の第７の実施態様にかかるサーバ装置、第１４の実施態様にかかる方法、第２０の実施態様にかかる端末装置、第２５の実施態様にかかる方法によれば、各メンバは自分と同じ系統の香りの芳香カートリッジを端末装置に装填している他のメンバを容易に探し出す、といったことが可能となる。
【００４４】
また、上記の第１５の実施態様にかかるプログラムによれば、コンピュータを用いて、上記の第１乃至第７の実施態様にかかるサーバ装置を実現することができる。同様に、上記の第２６の実施態様にかかるプログラムによれば、コンピュータを用いて、上記の第１６乃至第２０の実施態様にかかる端末装置を実現することができる。
【図面の簡単な説明】
【００４５】
【図１】図１は、本発明の一実施例にかかるインスタントメッセージングシステムの全体構成を示したブロック図である。
【図２】図２は、本発明の一実施例にかかるメッセージングサーバ装置の機能構成の概要を示したブロック図である。
【図３】図３は、本発明の一実施例にかかる端末装置の機能構成の概要を示したブロック図である。
【図４】図４は、本発明の一実施例にかかる発香アダプタの外観を示した図である。
【図５】図５は、本発明の一実施例にかかる発香アダプタの機能構成の概要を示したブロック図である。
【図６】図６は、本発明の一実施例にかかる芳香カートリッジの外観を示した図である。
【図７】図７は、本発明の一実施例にかかる占い情報提供サーバ装置の機能構成の概要を示したブロック図である。
【図８】図８は、本発明の一実施例にかかるメッセージングサーバ装置に記憶されるユーザデータベースのデータ構成の例を示した図である。
【図９】図９は、本発明の一実施例にかかるメッセージングサーバ装置に記憶されるカートリッジデータベースのデータ構成の例を示した図である。
【図１０】図１０は、本発明の一実施例にかかる占い情報提供サーバ装置に記憶されるユーザデータベースのデータ構成の例を示した図である。
【図１１】図１１は、本発明の一実施例にかかるメッセージングアプリに従い端末装置に表示される「メッセージ」タブの画面を模式的に示した図である。
【図１２】図１２は、本発明の一実施例にかかるメッセージングアプリに従い端末装置に表示される「通話」タブの画面を模式的に示した図である。
【図１３】図１３は、本発明の一実施例にかかるメッセージングアプリに従い端末装置に表示される「ランキング」タブの画面を模式的に示した図である。
【図１４】図１４は、本発明の一実施例にかかるメッセージングアプリに従い端末装置に表示される「香りマップ」タブの画面を模式的に示した図である。
【図１５】図１５は、本発明の一実施例にかかるメッセージングアプリに従い端末装置に表示される「メンバ情報」タブの画面を模式的に示した図である。
【図１６】図１６は、本発明の一実施例にかかるメッセージングアプリに従い端末装置に表示される「カートリッジ情報」タブの画面を模式的に示した図である。
【図１７】図１７は、本発明の一実施例にかかるメッセージングアプリに従い端末装置に表示される「ユーティリティ」タブの画面を模式的に示した図である。
【図１８】図１８は、本発明の一実施例にかかる端末装置が占い情報提供サーバ装置から受信する電子メールの内容を模式的に示した図である。
【発明を実施するための形態】
【００４６】
［１．実施例］
以下に本発明の一実施例にかかるインスタントメッセージングシステム１の構成および動作を説明する。インスタントメッセージングシステム１は、その概要を述べると、ログオンしているメンバ間でリアルタイムにテキストベースのメッセージを交換したり、音声による通話を行ったりすることを可能とする既知のインスタントメッセージングシステムに、各メンバの端末装置において香りを放出させる機能を付加したものである。すなわち、インスタントメッセージングシステム１によれば、遠隔地にいる知人や見知らぬメンバの端末装置から任意のタイミングで芳香液を放出させることができる。さらに、インスタントメッセージングシステム１によれば、例えば、今流行している香りは何か、今日はどの香りが運気を呼ぶか、といった香りに関する様々な付加情報を得ることもできる。
【００４７】
［１．１．構成］
図１は、インスタントメッセージングシステム１の全体構成を示したブロック図である。インスタントメッセージングシステム１は、メッセージおよび通話に伴う各種データの管理や端末装置間のデータ転送等を行うメッセージングサーバ装置１１、インスタントメッセージングシステム１を利用するメンバの各々がメッセージの交換等に用いる端末装置１２、端末装置１２に直接、もしくはケーブルを介して接続され芳香液の放出を行う発香アダプタ１３、芳香液を収容し発香アダプタ１３に装填される芳香カートリッジ１４、インスタントメッセージングシステム１のメンバに占い情報を提供する占い情報提供サーバ装置１５を備えている。
【００４８】
端末装置１２はメッセージングサーバ装置１１および占い情報提供サーバ装置１５とインターネット１９を介して各種データの送受信を行う。また、メッセージングサーバ装置１１と占い情報提供サーバ装置１５もまた、インターネット１９を介して各種データの送受信を行う。
【００４９】
図１において、端末装置１２および端末装置１２に接続される発香アダプタ１３、さらに発香アダプタ１３に装填される芳香カートリッジ１４は３組、示されているが、これらの数はインスタントメッセージングシステム１を利用するメンバの数に応じて任意に変動する。なお、以下の説明において複数の端末装置１２等を各々区別する必要がある場合、メンバＡが使用する端末装置１２、発香アダプタ１３および芳香カートリッジ１４を端末装置１２Ａ、発香アダプタ１３Ａおよび芳香カートリッジ１４Ａのように、その末尾に符号を付加することでそれらを区別する。
【００５０】
メッセージングサーバ装置１１は、インターネット１９を介して他の通信装置との間でデータ通信を行うことが可能な一般的なコンピュータに、本実施例にかかるサーバ用のアプリケーションプログラムに従った処理を実行させることにより実現される。
【００５１】
図２は、メッセージングサーバ装置１１の機能構成の概要を示したブロック図である。すなわち、アプリケーションプログラムに従った処理を実行することにより、メッセージングサーバ装置１１の役割を果たすコンピュータは、端末装置１２および占い情報提供サーバ装置１５から送信されてくる各種データを受信する受信部１１１、端末装置１２および占い情報提供サーバ装置１５に各種データを送信する送信部１１２、アプリケーションプログラムや後述するデータベース等の各種データを記憶する記憶部１１３、条件を満たす端末装置１２の抽出やメッセージ交換の可否の判定などの各種処理を行う演算部１１４として機能する。
【００５２】
なお、メッセージングサーバ装置１１を、一般的なコンピュータにアプリケーションプログラムに従った処理を実行させることにより実現する代わりに、いわゆる上述した各種機能をハードウェアにより実現する専用装置として構成してもよい。
【００５３】
また、メッセージングサーバ装置１１を異なる筐体に配置された複数の装置を互いに連携動作させることにより、一群の装置として構成してもよい。例えば、メッセージングサーバ装置１１が行う異なる種類の処理を各々、異なる装置で実行させたり、メッセージングサーバ装置１１が行う同種の処理を複数の装置で分散して実行したり、地理的に区分した処理を各々、異なる装置で実行させたりしてもよい。
【００５４】
端末装置１２は、いわゆるスマートフォンと呼ばれる電話機能を備えたＰＤＡ（Personal Digital Assistant）や電話機能を備えないＰＤＡ、デスクトップＰＣ（Personal Computer）、ノート型ＰＣといった一般的なコンピュータに、本実施例にかかる端末装置用のアプリケーションプログラムに従った処理を実行させることにより実現される。なお、端末装置１２の一部は、ＧＰＳ（Global Positioning System）や無線通信網に含まれる複数の基地局が端末装置１２から受信する電波強度に基づき計測された端末装置１２の現在位置を示す位置データを取得する機能を備えている。
【００５５】
図３は、端末装置１２の機能構成の概要を示したブロック図である。すなわち、アプリケーションプログラムに従った処理を実行することにより、端末装置１２の役割を果たすコンピュータは、メッセージングサーバ装置１１および占い情報提供サーバ装置１５から送信されてくる各種データを受信する受信部１２１、メッセージングサーバ装置１１および占い情報提供サーバ装置１５に各種データを送信する送信部１２２、アプリケーションデータや自機を識別する端末識別データ等の各種データを記憶する記憶部１２３、ユーザに対し各種情報を表示する表示部１２４、ユーザの操作に応じて所定のデータを生成することでユーザのデータ入力を受け付ける入力部１２５、自機の他の構成部を制御するとともに発香アダプタ１３の動作を制御する制御部１２６として機能する。
【００５６】
なお、端末装置１２を、一般的なコンピュータにアプリケーションプログラムに従った処理を実行させることにより実現する代わりに、いわゆる上述した各種機能をハードウェアにより実現する専用装置として構成してもよい。
【００５７】
図４は、発香アダプタ１３の外観を示した図である。図４（ａ）は端末装置１２のデータ入出力端子に直接接続するタイプの発香アダプタ１３を示し、図４（ｂ）は端末装置１２のデータ入出力端子にケーブルを介して接続するタイプの発香アダプタ１３を示している。通常、図４（ａ）のタイプはスマートフォン等のＰＤＡに使用され、図４（ｂ）のタイプはデスクトップＰＣやノート型ＰＣに使用される。
【００５８】
なお、発香アダプタ１３に同時に装填可能な芳香カートリッジ１４の数は、発香アダプタ１３のタイプによって異なるが、本実施例では最大４本であるものとする。例えば、図４（ａ）のタイプの発香アダプタ１３は２本の芳香カートリッジ１４を、図４（ｂ）のタイプの発香アダプタ１３は４本の芳香カートリッジ１４を、同時に装填することができる。
【００５９】
発香アダプタ１３は、端末装置１２のデータ入出力端子と接続されてデータの授受を行うデータ入出力端子１３１、芳香カートリッジ１４の装填を受容する中空部１３２、中空部１３２に装填された芳香カートリッジ１４のボタン１４２を押下する押下ピン（図示略）、押下ピンにボタン１４２の押下に要する力を加えるモータ（図示略）、芳香カートリッジ１４の外表面に設けられたメモリチップ１４３からデータを読み取るデータリーダ（図示略）、芳香カートリッジ１４に収容されている芳香液の残量を計測するための光センサ（図示略）、端末装置１２との間でデータの送受信を行うとともにモータの動作制御などの各種制御を行うマイクロプロセッサ（図示略）を備えている。
【００６０】
発香アダプタ１３は、マイクロプロセッサに予め組み込まれたプログラムに従い、図５に示すような機能構成部を備える装置として機能する。すなわち、発香アダプタ１３は、芳香カートリッジ１４のボタン１４２を押下することにより芳香カートリッジ１４に収容されている芳香液の外部への放出（噴霧）を行わせる放出部１３３、芳香カートリッジ１４のメモリチップ１４３からデータを読み取る読取部１３４、芳香カートリッジ１４のメモリチップ１４３にデータを書き込む書込部１３５、芳香カートリッジ１４に収容されている芳香液の残量を計測する残量計測部１３６、それらの機能構成部の処理を制御する制御部１３７として機能する。
【００６１】
図６は、芳香カートリッジ１４の外観を示した図である。なお、図６（ｂ）は図６（ａ）に示される芳香カートリッジ１４を、その反対側から見た図である。
【００６２】
芳香カートリッジ１４は、その内部に中空部を備え、その中空部には各種の芳香を持つ液体である芳香液が封入されている。芳香カートリッジ１４の一方の端面には、芳香液を芳香カートリッジ１４の外部に放出するための孔である噴霧孔１４１が設けられている。噴霧孔１４１には弁が付いており、所定の閾値以上の圧力が内部から加えられるとその弁が開き、微細な孔より勢いよく芳香液が霧状となって外部に放出され、内部から加えられる圧力が所定の閾値を下回ると、弁が閉じて芳香液が再度、芳香カートリッジ１４の内部に密封される。
【００６３】
芳香カートリッジ１４の噴霧孔１４１が設けられている端面と反対側の端面には、発香アダプタ１３の押下ピンにより押下されるボタン１４２が設けられている。ボタン１４２は芳香カートリッジ１４に収容されている芳香液を密封しつつ、押下ピンを介して発香アダプタ１３のモータより加えられる力に従い芳香カートリッジ１４の内部方向に移動する。その移動に伴い、芳香カートリッジ１４内の圧力が高まり、上述した噴霧孔１４１からの芳香液の放出をもたらす。
【００６４】
芳香カートリッジ１４の図６における上側面には、芳香カートリッジ１４を識別するカートリッジ識別データや、芳香カートリッジ１４に収容されている芳香液に関する情報を示すデータ、芳香カートリッジ１４の贈り主の顔写真や電子メールアドレス等を示すデータなどを保持するメモリチップ１４３が配置されている。メモリチップ１４３は例えば、フラッシュメモリチップを備え、そのフラッシュメモリチップに芳香カートリッジ１４を識別するカートリッジＩＤを含む各種データを保持することができる。
【００６５】
カートリッジＩＤは、例えば「＃＃＃＃−＃＃＃＃＃＃」（ただし、「＃は０〜Ｆ（１６進数）のいずれか」）のようなフォーマットに従ったデータである。先頭側の４桁の数字列は、芳香カートリッジ１４の種類（正確には、芳香カートリッジ１４に収容される芳香液の種類）を識別するカートリッジ種類ＩＤである。末尾側の６桁の数字列は、同じ種類の芳香カートリッジにおける個々の芳香カートリッジを識別するカートリッジ個体ＩＤである。
【００６６】
メモリチップ１４３はその外側面上に端子を有し、芳香カートリッジ１４が発香アダプタ１３の中空部１３２に装填されると、メモリチップ１４３の端子に発香アダプタ１３のデータリーダの端子が接触し電気的に接続され、発香アダプタ１３によるメモリチップ１４３からのデータの読み出しが可能となる。従って、芳香カートリッジ１４を発香アダプタ１３の中空部１３２に挿入する際の方向が重要であり、ユーザがその方向を誤らないように、発香アダプタ１３の中空部１３２の内側面上にはその挿入の方向に沿った畝状の凸部が設けられ、その突起部が嵌り込むように、芳香カートリッジ１４の外側面上（図６における下側面上）には挿入の方向に沿った溝状の凹部が設けられている。
【００６７】
占い情報提供サーバ装置１５は、メッセージングサーバ装置１１から芳香に関する各種データを取得し、占い情報の配信を希望するインスタントメッセージングシステム１のメンバの端末装置１２に対し、それらの芳香に関する各種データに基づき生成した占いデータを配信するサーバ装置である。
【００６８】
占い情報提供サーバ装置１５は、メッセージングサーバ装置１１と同様に、インターネット１９を介して他の通信装置との間でデータ通信を行うことが可能な一般的なコンピュータに、本実施例にかかるサーバ用のアプリケーションプログラムに従った処理を実行させることにより実現される。
【００６９】
図７は、占い情報提供サーバ装置１５の機能構成の概要を示したブロック図である。すなわち、アプリケーションプログラムに従った処理を実行することにより、占い情報提供サーバ装置１５の役割を果たすコンピュータは、端末装置１２およびメッセージングサーバ装置１１から送信されてくる各種データを受信する受信部１５１、端末装置１２およびメッセージングサーバ装置１１に各種データを送信する送信部１５２、アプリケーションプログラムや後述するデータベース等の各種データを記憶する記憶部１５３、所定の条件に従い占いデータの生成を行うなどの各種処理を行う演算部１５４として機能する。
【００７０】
なお、占い情報提供サーバ装置１５を、一般的なコンピュータにアプリケーションプログラムに従った処理を実行させることにより実現する代わりに、いわゆる上述した各種機能をハードウェアにより実現する専用装置として構成してもよい。また、占い情報提供サーバ装置１５を異なる筐体に配置された複数の装置を互いに連携動作させることにより、一群の装置として構成してもよい。
【００７１】
メッセージングサーバ装置１１の記憶部１１３には、インスタントメッセージングシステム１を利用するユーザ、すなわちメンバの各々に関する情報を管理するためのデータベースであるユーザデータベースと、インスタントメッセージングシステム１において用いられる様々な種類の芳香カートリッジ１４の各々に関する情報を管理するためのデータベースであるカートリッジデータベースが記憶されている。以下に、それらのデータベースのデータ構成の例を、図を用いて説明する。
【００７２】
図８は、メッセージングサーバ装置１１に記憶されるユーザデータベースのデータ構成の例を示した図である。メッセージングサーバ装置１１のユーザデータベースは、インスタントメッセージングシステム１を利用するメンバの各々に関するデータを格納するレコードの集まりである。メッセージングサーバ装置１１のユーザデータベースのレコードの各々は、以下のフィールドを含んでいる。
【００７３】
「ユーザＩＤ」：メンバを識別するＩＤ（Identifier）を格納する。
「パスワード」：メンバの本人確認を行うためのテキストデータを格納する。
「端末ＩＤ」：メンバの使用する端末装置１２が近年普及している携帯電話のように、端末装置に一意に割り当てられたＩＤを記憶している場合、そのＩＤを格納する。この端末ＩＤは、ユーザＩＤとパスワードの組み合わせに代えて、メンバの識別およびメンバの本人確認のために利用される。
「装填カートリッジＩＤ」：端末装置１２に現在装填されている芳香カートリッジ１４に一意に割り当てられたＩＤ（カートリッジＩＤ）を格納する。
「残量データ」：端末装置１２に現在装填されている芳香カートリッジ１４に収容されている芳香液の残量を、％（パーセント）で示す値を格納する。
「位置データ」：端末装置１２がＧＰＳ等の機能を備え、端末装置１２の現在位置を示す位置データの送信機能を備えている場合、その位置データを格納する。
「性別データ」：メンバの性別を示すデータを格納する。
「年齢データ」：メンバの年齢を示すデータ（ただし、個人情報を秘匿する目的で、例えば「２０歳代」「３０歳代」など）を格納する。
「画像データ」：メンバの顔写真や自分の顔を描いたイラスト、アバターなど、メンバが選択した画像データのファイル名を格納する。なお、画像データそのものは記憶部１１３の所定の場所に記憶される。
「趣味データ」：メンバの趣味を示すテキストデータを格納する。
「プロフィールデータ」：メンバおプロフィール（自己ＰＲなど）を示すテキストデータを格納する。
「メッセージフレンズ判定条件データ」：メンバがメッセージ交換を許可するメンバのユーザＩＤや属性データに関する条件データを格納する。なお、メンバの属性データとは、メッセージングサーバ装置１１のユーザデータベースに格納されているレコードに含まれるフィールドのうち、「ユーザＩＤ」「パスワード」「端末ＩＤ」を除くデータの総称である。また、このフィールドに「全メンバ」という条件データが格納されていると、全ての他のメンバがこのメンバにメッセージの送信を行うことが可能となる。
「通話フレンズ判定条件データ」：メンバが通話を許可する相手のメンバのユーザＩＤや属性データに関する条件データを格納する。
「発香ログデータ」：過去に放出された芳香液を収納していた芳香カートリッジ１４のカートリッジＩＤを、芳香液の放出の回数と日時を示すデータとともに格納する。
「メッセージログデータ」：過去に他のメンバとの間で交換したメッセージに関し、そのメッセージを示すテキストデータ、そのメッセージの交換相手のメンバのユーザＩＤ、そのメッセージの交換日時を示すデータを格納する。
「通話発着信ログデータ」：過去に他のメンバとの間で行った通話に関し、その通話の相手のメンバのユーザＩＤ、その通話の日時を示すデータを格納する。
【００７４】
図９は、メッセージングサーバ装置１１に記憶されるカートリッジデータベースのデータ構成の例を示した図である。カートリッジデータベースは、インスタントメッセージングシステム１において利用される芳香カートリッジ１４の種類の各々に関するデータを格納するレコードの集まりである。芳香カートリッジ１４のレコードの各々は、以下のフィールドを含んでいる。
【００７５】
「カートリッジ種類ＩＤ」：カートリッジ種類ＩＤを格納する。
「カートリッジ名データ」：芳香カートリッジの種類名を示すテキストデータを格納する。
「香り系統名データ」：芳香カートリッジに収容される芳香液の香りの系統を示すテキストデータ（例えば、「シトラス系」「オリエンタル系」「グリーン系」「フローラル系」「シプレ系」など）を格納する。
「アクセス条件データ」：この芳香カートリッジを装填している時に、メッセージや通話によるアクセスを許可するメンバのユーザＩＤや属性データに関する条件を示す条件データを格納する。例えば、このフィールドに格納される条件データとしては、カートリッジ個体ＩＤが奇数の芳香カートリッジと、カートリッジ個体ＩＤがその次の偶数の芳香カートリッジとの間でメッセージの交換を許可することを意味する「ペアＩＤ→メッセージ交換許可」などがある。
「香り説明データ」：芳香カートリッジに収容されている芳香液の成分、効能などに関する説明を示すテキストデータを格納する。
【００７６】
占い情報提供サーバ装置１５の記憶部１５３には、香りに関する占い情報を得たいと思うメンバ（占い情報提供サーバ装置１５に対する登録メンバ）の各々に関する情報を管理するためのデータベースであるユーザデータベースが記憶されている。
【００７７】
図１０は、占い情報提供サーバ装置１５に記憶されているユーザデータベースのデータ構成の例を示した図である。占い情報提供サーバ装置１５のユーザデータベースは、インスタントメッセージングシステム１を利用するメンバのうち占い情報の配信を希望するメンバの各々に関するデータを格納するレコードの集まりである。占い情報提供サーバ装置１５のユーザデータベースのレコードの各々は、以下のフィールドを含んでいる。
【００７８】
「ユーザＩＤ」：メンバを識別するＩＤを格納する。
「パスワード」：メンバの本人確認を行うためのテキストデータを格納する。
「メールアドレス」：端末装置１２のユーザが受信可能な電子メールの宛先（占い情報の送信先）であるメールアドレスを格納する。
【００７９】
［１．２．動作］
続いて、インスタントメッセージングシステム１の動作を説明する。インスタントメッセージングシステム１を利用するメンバは、予め自分の端末装置１２を用いてメッセージングサーバ装置１１に対するユーザＩＤおよびパスワードの登録（ユーザ登録）を行う。その際、端末装置１２に端末ＩＤが記録されており、その送信が可能な場合、端末装置１２はメッセージングサーバ装置１１に対し自機の端末ＩＤを送信する。そのように送信される端末は、ユーザＩＤおよびパスワードとともに、ユーザデータベース（図８参照）の新規レコードに登録される。
【００８０】
また、メンバは、端末装置１２に予め、インスタントメッセージング用のアプリケーションプログラムのインストールを行う。以下、端末装置１２にインストールされたインスタントメッセージング用のアプリケーションプログラムを「メッセージングアプリ」と呼ぶ。
【００８１】
さらに、メンバはインスタントメッセージングシステム１を利用するにあたり、発香アダプタ１３および少なくとも１本の芳香カートリッジ１４を入手しておく必要がある。メンバは、発香アダプタ１３を端末装置１２に接続し、発香アダプタ１３に芳香カートリッジ１４を装填することで、インスタントメッセージングシステム１によるメッセージ交換および通話を行うことが可能となる。
【００８２】
上記の準備を完了した後、メンバは端末装置１２においてメッセージングアプリを起動する。もしくは、端末装置１２の起動に伴い自動的にメッセージングアプリが起動し常駐するように設定しておいてもよい。
【００８３】
なお、メッセージングアプリが起動される際、端末装置１２はメッセージングアプリに従い、発香アダプタ１３が接続なされているかをチェックする。そして、発香アダプタ１３が接続されている場合、端末装置１２は発香アダプタ１３とデータ通信を行い、発香アダプタ１３に芳香カートリッジ１４が装填されているかをチェックする。なお、発香アダプタ１３が芳香カートリッジ１４の装填をチェックする方法としては、例えば読取部１３４により芳香カートリッジ１４のメモリチップ１４３からデータが読み取れるか否かに基づく方法や、残量計測部１３６による計測結果に基づく方法など、様々な方法が採用可能である。
【００８４】
端末装置１２に発香アダプタ１３が接続されていない場合や、発香アダプタ１３に芳香カートリッジ１４が装填されていない場合、端末装置１２は表示部１２４にエラーメッセージを表示するなどの方法でその旨をメンバに通知した後、メッセージングアプリの起動を中止する。つまり、本実施例においては、メッセージングアプリの使用のために芳香カートリッジ１４の装填は必須となっている。従って、例えばメッセージングアプリの起動中に発香アダプタ１３を端末装置１２から取り外したり、発香アダプタ１３に装填されている全ての芳香カートリッジ１４を取り外したりした場合、メッセージングアプリは自動的に終了するように設計されている。
【００８５】
発香アダプタ１３の接続および芳香カートリッジ１４の装填がなされている場合、端末装置１２は引き続き、メッセージングアプリの起動処理のステップとして、メンバの本人認証のための処理を行う。具体的には、メンバに対しユーザＩＤおよびパスワードの入力を促し、入力されたそれらのデータをメッセージングサーバ装置１１に送信する。メッセージングサーバ装置１１においては、端末装置１２から受信したユーザＩＤおよびパスワードをユーザデータベース（図８参照）のデータと照合することで、メンバの本人認証を行う。
【００８６】
なお、端末装置１２が端末ＩＤを送信可能な場合、メンバは予めメッセージングアプリに設定を行うことで、ユーザＩＤとパスワードの入力に代えて端末ＩＤによる本人認証を行うこともできる。その場合、端末装置１２はメッセージングアプリの起動に伴い端末ＩＤをメッセージングサーバ装置１１に送信し、メッセージングサーバ装置１１において端末ＩＤの照合による本人認証が行われる。
【００８７】
本人認証が正しく行われると、メンバはメッセージングサーバ装置１１にログオンした状態になる。ログオン状態において、メッセージングアプリは端末装置１２の表示部１２４に複数のタブページを含む画面を表示する。図１１乃至図１７は、それらのタブページを模式的に示した図である。
【００８８】
メッセージングアプリの画面には、例えば以下のタブページが含まれている。
「メッセージ」：メンバが他のメンバとの間でメッセージ交換を行うためのタブ。
「通話」：メンバが他のメンバとの間で通話を行うためのタブ。
「ランキング」：最近の発香回数が多い芳香カートリッジ順のランキングおよび最近の発香回数の多いメンバ順のランキングを表示するためのタブ。
「香りマップ」：インスタントメッセージングシステム１のメンバ（位置データを送信可能な端末装置１２のユーザ）が現在、装填している芳香カートリッジの香り系統を示す図形を、地図上のメンバの現在位置に示すためのタグ。
「メンバ情報」：メンバが現在使用している（発香アダプタ１３に装填されている）芳香カートリッジ１４や過去に使用した芳香カートリッジ１４のカートリッジ名、発香回数および残量と、メンバの発香回数に基づくランキング順位を表示するためのタブ。
「カートリッジ情報」：現在装填されている芳香カートリッジ１４のカートリッジ名、香り系統名、香りの説明、メッセージを表示するためのタブ。
「ユーティリティ」：所定の時刻や所定のイベントの発生に伴い、自機に発香を行わせるための設定用タブ。
【００８９】
図１１は、「メッセージ」タブの画面を模式的に示した図である。「メッセージ」タブの領域２０１には、このメンバ（以下、「ユーザ」と呼び、他のメンバと区別する）がメッセージの送信を行うことが許可されている他のメンバ（以下、「他メンバ」という）のうち、現在、メッセージングサーバ装置１１にログオンしているメンバのユーザ名が、現在それらのメンバの発香アダプタ１３に装填されている芳香カートリッジ１４の香り系統名とともに表示される。なお、この他メンバの表示順は、例えば端末装置１２が位置データを送信可能な場合、メンバの現在地から近い順とするなど、様々なものが採用可能である。
【００９０】
「メッセージ」タブの領域２０２には、領域２０１に表示される他メンバ（使用する端末装置１２が位置データを送信する機能を備えている者に限る）の現在位置に対応する地図上の位置に、香り系統に応じた図形がプロット表示される。
【００９１】
ユーザが領域２０１に表示されるいずれかの他メンバのユーザ名、もしくは領域２０２にプロットされるいずれかの図形をクリック等により選択すると、窓２０３がポップアップし、選択された他メンバの発香アダプタ１３に現在装填されている芳香カートリッジ１４のカートリッジ名や他メンバのプロフィールなどがそこに表示される。また、選択された他メンバの端末装置１２が位置データを送信可能な機種の場合、領域２０２においてその他メンバの現在位置が中心となるように、地図の表示位置が自動的に変更されるとともに、選択された他メンバに対応する図形が強調表示される。
【００９２】
「メッセージ」タブの領域２０４には、領域２０１および領域２０２に表示される他メンバを絞り込むための条件を入力するボックスが表示される。ユーザは、例えば領域２０４において、「属性名」ボックスに「年齢」、「属性」ボックスに「３０歳代」と入力し、「ＯＫ」ボタンをクリック等することで、ユーザがメッセージの送信を許可される他メンバのうち、年齢が３０歳代の他メンバのみを領域２０１および領域２０２に表示させることができる。ユーザはこれらのボックスにおいて、様々な属性名および属性の組み合わせを指定することで、自分がメッセージの送信を行いたい相手を容易に発見することができる。
【００９３】
ユーザは、領域２０１もしくは領域２０２で他メンバのユーザ名もしくは他メンバに対応する図形を１つ以上選択した後、領域２０５にメッセージを入力した後、領域２０６に表示される「送信」ボタンをクリック等することで、選択した他メンバに対しメッセージを送信することができる。このメッセージの送信の仕組みとしては、既知の様々な技術が利用可能であるため、詳細の説明は省略する。
【００９４】
また、ユーザは、領域２０６に表示される「香り１」ボタン〜「香り４」ボタンのいずれかをクリック等することで、送信するメッセージに発香の指示を追加することができる。例えば、メッセージの入力に加え「香り１」ボタンをクリック等すると、「今晩も遅くまで頑張っているの？  無理しないでね！  （香り１）」という発香指示付きのメッセージが生成される。その状態で「送信」ボタンをクリック等すると、発香指示付きのメッセージを示すデータ（メッセージデータと発香指示データ）がユーザの端末装置１２からメッセージングサーバ装置１１経由でメッセージの送信先の他メンバの端末装置１２に送信される。
【００９５】
他メンバの端末装置１２はメッセージデータと発香指示データを受信すると、受信したメッセージデータに従いメッセージを領域２０５に表示するとともに、発香指示データに従い発香アダプタ１３に対し芳香液の放出の指示を行う。発香アダプタ１３はその指示に従って指定された芳香カートリッジ１４のボタン１４２を押下して、芳香液を噴霧孔１４１から放出させる。その結果、他メンバはユーザから香り付きのメッセージを受け取ることができる。その際、香りはメッセージの着信の通知にもなる。
【００９６】
なお、「香り１」ボタンはメッセージの送信相手の発香アダプタ１３に装填されている１番目の芳香カートリッジ１４、「香り２」ボタンはメッセージの送信相手の発香アダプタ１３に装填されている２番目の芳香カートリッジ１４、のように各々の芳香カートリッジ１４に対応している。従って、メッセージの送信相手の発香アダプタ１３のどの位置に芳香カートリッジ１４が装填されているかに応じて、「香り１」ボタン〜「香り４」ボタンのうち使用可能なボタンが自動的に選択され、使用不可能なボタンはグレー表示される。なお、メッセージの送信相手が複数の場合、「香り１」ボタンのみが使用可能となり、メッセージの送信側による香りの選択はできない。
【００９７】
図１２は、「通話」タブの画面を模式的に示した図である。「通話」タブには、「メッセージ」タブと概ね同じオブジェクトが含まれており、「通話」タブの領域２１１、領域２１２、窓２１３、領域２１４は各々、「メッセージ」タブの領域２０１、領域２０２、窓２０３、領域２０４と同様の役割を果たす。
【００９８】
「通話」タブの領域２１５は「メッセージ」タブの領域２０５に対応するが、「メッセージ」タブの領域２０５には交換されたメッセージのログが表示されるのに対し、「通話」タブの領域２１５には通話の着信時刻、切断時刻、通話時間といった通話のログが表示される。
【００９９】
また、「通話」タブの領域２１６は「メッセージ」タブの領域２０６に対応するが、「通話」タブの領域２１６には、「メッセージ」タブにおける「送信」ボタンに代えて、「呼出」ボタンが含まれている。
【０１００】
ユーザは、例えば「香り１」ボタンを２度クリックした後、「呼出」ボタンをクリックする。その操作に応じて、ユーザの端末装置１２からメッセージングサーバ装置１１経由で呼び出し先の他メンバの端末装置１２に対し、発香指示付きの通話の呼び出しを指示するデータ（呼出データと発香指示データ）が送信される。なお、その際の発香指示データは、芳香液を２回放出することを指示するデータとなる。
【０１０１】
他メンバの端末装置１２は呼出データと発香指示データを受信すると、受信した呼出データに従い、呼び出し音の発音やバイブレーション等の所定の呼出動作を行うとともに、発香指示データに従い発香アダプタ１３に対し芳香液の放出の指示を２回、行う。発香アダプタ１３はその指示に従って指定された芳香カートリッジ１４のボタン１４２を２回押下して、芳香液を噴霧孔１４１から放出させる。その結果、他メンバはユーザから呼び出し音等に加え、香りによる呼び出しの通知を受けることになる。なお、通話に伴う端末装置１２およびメッセージングサーバ装置１１の動作は既知のインターネット経由の通話システムのものと同様であるため、その説明を省略する。
【０１０２】
図１３は、「ランキング」タブの画面を模式的に示した図である。「ランキング」タブの領域２２１には、インスタントメッセージングシステム１を利用する全メンバにより過去一週間および過去一月間に発香された芳香液の回数の多い順に、ランキングが表示される。ユーザがランキングに表示されているカートリッジ名のいずれかを選択すると、選択されたカートリッジ名に対応する芳香カートリッジ１４の情報が窓２２２にポップアップ表示される。
【０１０３】
また、領域２２１には、「購入」ボタンが含まれており、ユーザはランキングに表示されているカートリッジ名のいずれかを選択した後、この「購入」ボタンをクリック等することで、選択したカートリッジ名に対応する芳香カートリッジ１４を購入することができる。なお、芳香カートリッジ１４の購入手続に伴う処理は、既知のネット通販システムにおける処理と同様であるため、その説明を省略する。
【０１０４】
また、領域２２３には、過去一週間および過去一月間に発香した芳香液の回数の多い順に、端末装置１２のメンバのランキングが表示される。ユーザがランキングに表示されている他メンバのユーザ名のいずれかを選択すると、選択されたユーザ名に対応するメンバの情報が窓２２４にポップアップ表示される。
【０１０５】
また、領域２２３には、「メッセージ」ボタンおよび「通話」ボタンが含まれており、ランキングに表示されているユーザ名のうち、メッセージの送信が許可されている他メンバのユーザ名をユーザが選択した場合は「メッセージ」ボタンが使用可能となり、通話の呼び出しが許可されている他メンバのユーザ名をユーザが選択した場合は「通話」ボタンが使用可能となる。ユーザは、そのように使用可能となった「メッセージ」ボタンもしくは「通話」ボタンをクリック等することで、選択したユーザ名に対応する他メンバに対するメッセージの送信もしくは通話の呼び出しを行うことができる。
【０１０６】
具体的には、「メッセージ」ボタンがクリック等されると、端末装置１２における「ランキング」タブの表示は「メッセージ」タブの表示に自動的に切り替わり、「通話」ボタンがクリック等されると、端末装置１２における「ランキング」タブの表示は「通話」タブの表示に自動的に切り替わる。そのように切り替わった後のタブにおいて、ユーザは「ランキング」タブで選択した他メンバに対し、発香指示付きのメッセージを送信したり、発香指示付きの通話の呼び出しを行ったりすることができる。
【０１０７】
図１４は、「香りマップ」タブの画面を模式的に示した図である。「香りマップ」タブの領域２３１には、現在ログオンしているメンバ（位置データの送信が可能な端末装置１２のユーザであるメンバに限る）の位置に、現在装填されている芳香カートリッジ１４の香り系統に応じた図形がプロットされた地図が表示される。
【０１０８】
また、領域２３２には、領域２３１の地図上に表示される図形を絞り込むための条件を入力するボックスが表示される。これらのボックスの使用方法は、「メッセージ」タブの領域２０４に表示されるボックスの使用方法と同様である。ユーザはそれらのボックスに適当な属性名および属性を入力し「ＯＫ」ボタンをクリック等することで、自分が興味のある属性を持ったメンバ群がどのような香り系統の芳香カートリッジ１４を利用しているか、という情報を、その地理的な情報とともに知ることができる。
【０１０９】
図１５は、「メンバ情報」タブの画面を模式的に示した図である。「メンバ情報」タブの領域２４１には、ユーザの発香アダプタ１３に現在装填されている芳香カートリッジ１４のカートリッジ名と残量（％）が表示される。
【０１１０】
「メンバ情報」タブの領域２４２には、ユーザが過去に使用した芳香カートリッジ１４のカートリッジ名と発香回数が一覧表示される。なお、領域２４２に表示の一覧において、現在装填されている芳香カートリッジ１４にはマークが付され、それと分かるようになっている。
【０１１１】
「メンバ情報」タブの領域２４３には、ユーザの発香回数に基づく週間および月間のランキング順位が表示される。また、領域２４３には「登録情報」ボタンが含まれており、ユーザが「登録情報」ボタンをクリック等すると、登録情報の閲覧・修正のページが開き、ユーザは登録されているプロフィール等の情報を確認したり、必要に応じてそれらを修正したりすることができる。
【０１１２】
図１６は、「カートリッジ情報」タブの画面を模式的に示した図である。「カートリッジ情報」タブの領域２５１には、情報を表示する対象の芳香カートリッジ１４を選択するチェックボックスが表示される。「カートリッジ情報」タブの領域２５２には、現在装填されている芳香カートリッジ１４の香り系統名などの情報が表示される。
【０１１３】
「カートリッジ情報」タブの領域２５３には、各種メッセージや画像（静止画および動画）が表示される。また、それらの表示に伴い、音声や音楽の発音が行われる場合もある。これらの表示や発音は、発香アダプタ１３の読取部１３４により芳香カートリッジ１４のメモリチップ１４３から読み取られたデータに従い行われる。
【０１１４】
すなわち、芳香カートリッジ１４の製造者や発売者、もしくは一般のユーザは、芳香カートリッジ１４のメモリチップ１４３用のデータリーダ・ライタにより、もしくは端末装置１２に接続した発香アダプタ１３の書込部１３５により、ＰＣや端末装置１２から芳香カートリッジ１４に対し、自由にメッセージや静止画データ、動画データ、音声データ、アプリケーションプログラムなどの各種データを書き込むことで、その芳香カートリッジ１４を使用するメンバに対し、メッセージを伝えたり、静止画・動画を見せたり、音楽を聴かせたり、音声メッセージを伝えたり、ゲームを配布したり、といった各種情報提供を行うことができる。
【０１１５】
従って、例えばメンバは、芳香カートリッジ１４に自分の氏名、顔写真、会社住所、電子メールアドレスなどのデータを記録して配布することで芳香カートリッジ１４を名刺として用いたり、プロポーズのメッセージとロマンチックな音楽のデータを記録して恋人に贈ることで芳香カートリッジ１４をラブレターとして用いたり、というように、様々なシーンで芳香カートリッジ１４を利用することができる。
【０１１６】
また、生花店の経営者であるメンバが、フローラル系のオリジナルの芳香液を収容した芳香カートリッジ１４に店舗紹介とその月のお薦めの花を紹介するデータを記録して顧客や潜在顧客に配布したり、ラーメン店の経営者であるメンバが、自店のラーメンの匂いの芳香液を収容した芳香カートリッジ１４に店舗紹介とラーメンの画像等のデータを記録して顧客や潜在顧客に配布したり、というように、宣伝媒体として芳香カートリッジ１４を利用することも考えられる。
【０１１７】
また、ゲーム開発・販売会社が、香りの放出を伴うゲームのプログラムを芳香カートリッジ１４に記録し販売することにより、ゲームの販売媒体として芳香カートリッジ１４を利用することも考えられる。その場合、端末装置１２に接続されている発香アダプタ１３に最初にその芳香カートリッジ１４が装填された際に、メモリチップ１４３に記録されている自動実行プログラムに従いゲームのプログラムが自動的に端末装置１２にインストールされるように構成することもできる。
【０１１８】
さらに、関連する複数の芳香カートリッジ１４を同時に装填することで、それらに個々に記録されているゲームのプログラムに従って端末装置１２に連動処理を行わせることもできる。その場合、単独の芳香カートリッジ１４では使用できないゲームの機能が利用可能となる。なお、芳香カートリッジ１４に記録し端末装置１２に実行されるプログラムはゲームプログラムに限られず、ビジネス用プログラムなどでもよい。
【０１１９】
図１７は、「ユーティリティ」タブの画面を模式的に示した図である。「ユーティリティ」タブの領域２６１には、指定した時刻になると自動的に自機における発香を行わせるアラーム発香の設定を行うための入力ボックスおよび「設定」ボタンと、既に設定済みのアラーム発香のリストおよびリストから設定を削除するための「削除」ボタンが表示される。
【０１２０】
ユーザは領域２６１の入力ボックスに、例えば「毎日６：４５  香り２  音付き」のように、アラーム発香のパラメータを入力し、「設定」ボタンをクリック等することで、アラーム発香の設定を行うことができる。なお、これらの設定を示すデータは、他のメンバに利用されることはないため、端末装置１２の記憶部１２３に記憶される。また、ユーザはリストからいずれかの設定を選択した後、「削除」ボタンをクリック等することで、選択した設定を削除することができる。
【０１２１】
端末装置１２の制御部１２６は、自機が備える計時装置から取得される時刻が設定された時刻になると、発香アダプタ１３に対し、設定された番号の芳香カートリッジ１４からの芳香液の放出を指示する。その結果、指定した時刻になると、指定した芳香カートリッジ１４からの発香が行われる。
【０１２２】
また、「ユーティリティ」タブの領域２６２には、特定のイベントが発生した場合に自動的に自機における発香を行わせるイベント発香の設定を行うための入力ボックスおよび「設定」ボタンと、既に設定済みのイベント発香のリストおよびリストから設定を削除するための「削除」ボタンが表示される。
【０１２３】
ユーザは領域２６２の入力ボックスに、例えば「音  （音データのファイル名）  香り１」のように、イベント発香のパラメータを入力し、「設定」ボタンをクリック等することで、イベント発香の設定を行うことができる。なお、これらの設定を示すデータもまた、他のメンバに利用されることはないため、端末装置１２の記憶部１２３に記憶される。また、ユーザはリストからいずれかの設定を選択した後、「削除」ボタンをクリック等することで、選択した設定を削除することができる。
【０１２４】
上記のパラメータ「音  （音データのファイル名）  香り１」は、マイクを内蔵する端末装置１２が、指定したファイル名で特定される音データにより示される音と類似の音をマイクで集音した場合、１番目の芳香カートリッジ１４から芳香液を放出するように発香アダプタ１３に対し指示を行わせるためのパラメータである。ユーザは、例えばドアの開く音を録音した音データを指定して、上記のようなパラメータを設定し、芳香カートリッジ１４の装填された発香アダプタ１３の接続された端末装置１２をドア近くに置いておくことで、誰かがドアを開けた際に発香を行わせることができる。
【０１２５】
イベント発香に利用可能なイベントは様々なものが考えられる。例えば、カメラを内蔵する端末装置１２において、画像データをイベント発香のパラメータとして指定しておくことで、端末装置１２が内蔵のカメラで類似の画像を撮影した時に発香をさせたり、タッチパネルディスプレイを備える端末装置１２においてタッチパネルディスプレイをこする動作や、加速度センサを内蔵する端末装置１２において端末装置１２を振る動作等に応じて発香をさせたりすることもできる。
【０１２６】
以上、メッセージングアプリの画面の構成および画面においてユーザが行う操作等について説明をしたが、画面の開閉、各タブにおけるユーザの操作等に応じて、端末装置１２とメッセージングサーバ装置１１との間で必要な各種データの送受信が行われる。また、必要に応じて、芳香カートリッジ１４から発香アダプタ１３が読み取ったデータを端末装置１２が発香アダプタ１３から取得する処理も行われる。
【０１２７】
例えば、ユーザの端末装置１２において「メッセージ」タブが開かれる時、メッセージングサーバ装置１１はユーザデータベース（図８参照）からこのユーザや他のメンバのユーザ名と位置データ等を読み出し、またそれらのユーザ名に対応する香り系統名等をカートリッジデータベース（図９参照）から読み出し、それらを端末装置１２に送信する。端末装置１２はメッセージングサーバ装置１１から受信したそれらのデータを用いて、領域２０１のリストや領域２０２の地図を表示する。
【０１２８】
また、ユーザにより領域２０４の入力ボックスに条件を示すデータが入力されると、端末装置１２からメッセージングサーバ装置１１にそのデータが送信され、メッセージングサーバ装置１１において抽出処理が行われ、抽出されたメンバに関するユーザ名と位置データがメッセージングサーバ装置１１から端末装置１２に送信される。その結果、領域２０１や領域２０２には、指定した条件を満たすメンバの情報のみが表示されることになる。
【０１２９】
また、例えばユーザの端末装置１２において「カートリッジ情報」タブが開かれる時、発香アダプタ１３は芳香カートリッジ１４のメモリチップ１４３に記録されているデータを読み出し、読み出したデータを端末装置１２に引き渡す。その結果、図１６に示したような各種データの表示が行われる。
【０１３０】
このように、端末装置１２において上述したメッセージングアプリの画面の表示が行われるためには、端末装置１２からメッセージングサーバ装置１１に対するデータの送信処理、メッセージングサーバ装置１１における検索処理、メッセージングサーバ装置１１から端末装置１２に対するデータの送信処理、発香アダプタ１３による芳香カートリッジ１４からのデータの読み取り処理、発香アダプタ１３から端末装置１２へのデータの引き渡し処理、端末装置１２における表示用の画像データの生成処理など、各種処理が必要となるが、これらの処理の各々は当業者にとって既知のものであるため、その説明を省略する。
【０１３１】
インスタントメッセージングシステム１において、ユーザは上記のようにメッセージングサーバ装置１１において管理されているデータに基づく他メンバの情報等の提供を受けることができるとともに、メッセージングサーバ装置１１とは異なる各種の情報提供サーバ装置から付加的な情報の提供を受けることができる。占い情報提供サーバ装置１５は、そのような情報提供サーバ装置の一例である。
【０１３２】
ユーザは、端末装置１２を用いて、例えば所定のＵＲＬに従い表示されるＷｅｂページにおいて予めユーザ登録を行う。具体的には、メッセージングサーバ装置１１に登録されているものと同じユーザ名およびパスワードと、それらに加えて占い情報の配信先のメールアドレスを登録する。それらのデータは、占い情報提供サーバ装置１５のユーザデータベース（図１０参照）に格納される。
【０１３３】
占い情報提供サーバ装置１５は、例えば毎日、所定の時刻になると、自機のユーザデータベース（図１０参照）に登録されているユーザＩＤおよびパスワードの各々に関し、それらを含む抽出条件データを生成し、生成した抽出条件データをメッセージングサーバ装置１１に送信する。メッセージングサーバ装置１１は、受信した抽出条件データに含まれるユーザＩＤを含むレコードを自機のユーザデータベース（図８参照）から検索する。さらに、メッセージングサーバ装置１１は検索したレコードの発香ログデータから、最近装填された芳香カートリッジ１４のカートリッジ種類ＩＤを抽出し、抽出したカートリッジ種類ＩＤを含むレコードをカートリッジデータベース（図９参照）から検索する。メッセージングサーバ装置１１は、このように検索したユーザデータベースおよびカートリッジデータベースのレコードに含まれるデータを占い情報提供サーバ装置１５に送信する。
【０１３４】
占い情報提供サーバ装置１５は、メッセージングサーバ装置１１から送信されてくるそれらのデータにより示されるユーザの属性（例えば、性別、年齢、趣味、現在位置、現在持っていると思われる芳香カートリッジ１４など）に基づき、所定のアルゴリズムに従い、そのユーザのその日の運勢を示すデータ（運勢データ）を、例えば装填する芳香カートリッジ１４の種類ごとに生成する。
【０１３５】
占い情報提供サーバ装置１５は、そのように生成した運勢データを含む電子メールを生成し、自機のユーザデータベース（図１０参照）に格納されているユーザのメールアドレスを宛先として、インターネット１９に送出する。そのように送出された電子メールは、既知のメール配信の仕組みによりメールサーバ装置を介して、ユーザの端末装置１２により受信される。
【０１３６】
図１８は、端末装置１２が占い情報提供サーバ装置１５から受信する電子メールの内容を模式的に示した図である。ユーザは、占い情報提供サーバ装置１５から送信される電子メールにより、自分の持っている芳香カートリッジ１４毎にその日の運勢を知ることができる。従って、ユーザはそれらの運勢を参考としながらその日に発香アダプタ１３に装填する芳香カートリッジ１４を選択する、といった楽しみ方ができる。
【０１３７】
以上のように、本実施例にかかるインスタントメッセージングシステム１によれば、ユーザは他のユーザとの間で香りを伴うメッセージの交換や通話を行うことができるとともに、今流行の香りなど、香りに関連する各種情報を得ることができる。その結果、ネットワークを介した情報交換が、より楽しく趣深いものとなる。
【０１３８】
［２．変形例］
上述した実施例は本発明の技術的思想の範囲内において様々に変形可能である。以下にそのような変形の例を示す。
【０１３９】
上述した実施例においては、リアルタイムに交換されるメッセージや通話に応じて端末装置１２における発香が行われる構成が採用されているが、本発明はそれに限られず、例えば、電子メールの受信に伴い発香が行われる構成が採用されてもよい。
【０１４０】
また、上述した実施例においては、発香アダプタ１３は端末装置１２に対し外付けのデバイスとして接続される構成が採用されているが、発香アダプタ１３が端末装置１２に内蔵される構成が採用されてもよい。
【０１４１】
また、既に述べたように、上述した実施例における占い情報提供サーバ装置１５は、メッセージングサーバ装置１１から提供されるメンバの属性データや芳香カートリッジ１４の属性データに基づき、メンバに付加的な情報を配信する情報提供サーバ装置の例であって、そのような情報提供サーバ装置から提供される情報の種類としては、他に様々なものが考えられる。
【０１４２】
例えば、現在インスタントメッセージングシステム１にログオンしているメンバのうち、現在装填されている芳香カートリッジ１４や性別、年齢等の情報に基づき相性がよいと思われるメンバをリスト表示して提供するものや、現在の気温、天気などに応じてお薦めの芳香カートリッジ１４の種類をお知らせするものなどは、そのような付加的情報の提供の例である。
【０１４３】
これらの例の場合、情報提供サーバ装置は、情報配信先のメンバのユーザ名だけでなく、例えば特定の性別、特定の年齢、特定の香り系統名といった各種パラメータを含む抽出条件データをメッセージングサーバ装置１１に送信し、その応答としてそれらの属性を持つメンバや芳香カートリッジ１４に関するデータをメッセージングサーバ装置１１から取得することになる。
【０１４４】
また、上述した実施例においては、占い情報提供サーバ装置１５がメッセージングサーバ装置１１にユーザや芳香カートリッジ１４に関するデータの送信を要求し、占い情報提供サーバ装置１５において付加的な情報（占い情報）の生成が行われ、生成された付加的な情報が占い情報提供サーバ装置１５から端末装置１２に対し、直接送信される構成が採用されているが、本発明はそれに限られない。
【０１４５】
従って、例えば、ユーザが付加的な情報の配信をメッセージングサーバ装置１１に対し要求し、メッセージングサーバ装置１１が占い情報提供サーバ装置１５から必要なデータを取得して、メッセージングサーバ装置１１により生成された付加的な情報が端末装置１２に配信される構成が採用されてもよい。
【０１４６】
また、メッセージングサーバ装置１１を介して、ビデオ通話やデータファイルの交換など、他の形式の情報交換を可能としてもよい。
【０１４７】
また、上述した実施例においては、メッセージングサーバ装置１１を介して他のメンバの端末装置１２に送信されるメッセージを示すメッセージデータや通話の呼出データに、明示的に発香指示データが含まれるものとしたが、本発明はそれに限られない。例えば、所定のメンバからメッセージ・呼出の着信があった場合、常に発香を行う構成とする場合などは、メッセージデータや呼出データそのものが発香指示データとなる。
【０１４８】
また、上述した実施例においては、芳香カートリッジ１４はフラッシュメモリによりデータを記録するメモリチップ１４３を備えるものとしたが、芳香カートリッジ１４がデータを保持する手段はフラッシュメモリによるものに限られず、例えば磁気的な記録手段によりデータを読み書き可能に保持する方法や、光学的な記録手段によりデータを読み取り専用で保持する方法、バーコードのような画像を芳香カートリッジ１４の表面に形成することによりデータを保持する方法、芳香カートリッジ１４の表面に凹凸を設けることによりデータを保持する方法など、様々な方法が採用可能である。
【０１４９】
また、上述した実施例においては、メッセージングサーバ装置１１を介したメッセージの交換や通話を行うためには、ユーザは芳香カートリッジ１４を装填する必要があったが、本発明はそれに限られない。従って、例えばメッセージの送信側は必ずしも芳香カートリッジ１４の装填を要しないようにしたり、芳香カートリッジ１４の装填されていない端末装置１２に対しメッセージの送信が行われた場合には芳香カートリッジ１４の装填を促して装填が行われたタイミングで発香を行ったりする構成が採用されてもよい。
【０１５０】
また、上述した実施例においては、芳香液の放出量は放出回数により把握されるものとしたが、例えば「０．０１ミリリットル」や「０．０１ミリグラム」のように、他の単位で把握される構成が採用されてもよい。
【０１５１】
また、上述した実施例においては、芳香カートリッジ１４に収容される芳香液の出所につき特に説明しなかったが、芳香カートリッジ１４は予め特定の原液をブレンドして作られた芳香液を芳香カートリッジ１４の販売元の企業等が芳香カートリッジ１４内に収容した形で販売してもよいし、空の芳香カートリッジ１４に対しメンバが別途購入した原液を好みに応じてブレンドして注入することでオリジナルの芳香カートリッジ１４を作ることを可能としてもよい。
【０１５２】
後者の場合、オリジナルの芳香カートリッジ１４を登録するＷｅｂページを設けることで、メンバがオリジナルの芳香カートリッジ１４の香り系統名等をカートリッジデータベース（図９参照）に登録し、インスタントメッセージングシステム１においてその芳香カートリッジ１４を使用可能とすることができる。
【０１５３】
また、本発明にかかる仕組みは、上述した個々のユーザ間のメッセージングに発香を伴わせる、という方法に限られない。例えば、多数のユーザが同じ空間において、または互いに離れた空間において、香りを共有するために本発明にかかるシステムが使用されてもよい。
【０１５４】
例えば、予め指示された香りの芳香カートリッジ１４を発香アダプタ１３に装填した状態で、インターネット１９経由でダウンロードした動画データに従い端末装置１２において動画再生を行う際、その動画データに含まれる発香指示データに従い、動画の内容に応じた所定のタイミングで発香が行われるように構成することもできる。その場合、同じ動画を鑑賞する異なるユーザは、異なる時刻、異なる場所において、同じ動画を視覚および聴覚により体験すると同時に、同じ香りを嗅覚により体験することで、同じ体験を共有することができる。
【０１５５】
また、例えば、コンサートのように多人数が一同に集うイベント等において、イベント会場全体を香りで包むことにより、それらのイベント参加者に香りを共有させることもできる。具体的には、イベント主催者が、イベント参加者に対し予め、インスタントメッセージングシステム１へのユーザ登録と、発香アダプタ１３を接続した端末装置１２の持参とを指示しておく。イベント当日、イベント参加者は例えばイベント会場の入り口にて、芳香カートリッジ１４の配布を受ける。イベント参加者は配布された芳香カートリッジ１４を自分の発香アダプタ１３に装着する。イベント主催者は、例えば配布した芳香カートリッジ１４のカートリッジ種類ＩＤに基づき、メッセージングアプリにおいてイベント参加者を絞り込み、イベントの進行に応じた然るべきタイミングでそれらのイベント参加者に対し発香指示を伴うメッセージを送信する。そのメッセージに応じて、イベント参加者の各々の端末装置１２から発香が行われ、イベント会場が香りに包まれることになる。
【０１５６】
なお、イベント会場における各イベント参加者の着座席が決まっている場合、例えば会場におけるエリア毎に異なる香りの芳香カートリッジ１４を配布することで、エリア毎に異なる香り体験をさせることもできる。また、異なる香りが会場内に等距離間隔に配置されるように芳香カートリッジ１４を配布しておき、それらの異なる香りをイベントのシーンに合わせて適宜、望ましい分量配分で発香させることにより、会場の香りを様々に変化させることもできる。
【０１５７】
上記のように、イベント会場の入り口にて芳香カートリッジ１４を配布する代わりに、例えばイベントのチケット販売時に芳香カートリッジ１４を配布し、もしくは紙のチケットの代わりにチケット機能を備えた芳香カートリッジ１４を販売し、イベント参加者にその芳香カートリッジ１４の持参を求めてもよい。なお、芳香カートリッジ１４をチケットとして機能させるには、例えば芳香カートリッジ１４のメモリチップ１４３にチケット情報（席番号など）とその表示用プログラムを記憶させておけばよい。イベント参加者はその芳香カートリッジ１４を装着した端末装置１２においてカートリッジ情報を表示させ、イベント会場の入り口でそれを提示することで、イベント会場への入場を許可されるとともに、自分の着座席を知ることができる。
【０１５８】
また、イベント用に特定の芳香カートリッジ１４を配布する代わりに、イベント参加者が自由に持参し自分の端末装置１２に装填している芳香カートリッジ１４を用いて、イベントを香りで包むこともできる。例えば、イベント主催者は、イベント参加者を位置情報により絞り込んだ後、香り系統名に従いグループ化し、イベントの進行に伴い、例えばシトラス系の香りの芳香カートリッジ１４を装填しているイベント参加者の端末装置１２に発香指示を行ってイベント会場をシトラス系の香りで包んだり、同様にフローラル系の香りで包んだり、といった演出を行うことができる。
【０１５９】
また、イベントの様子がテレビやインターネット１９を介したストリーミング配信などでライブ中継される場合に、テレビや端末装置１２にてイベントを鑑賞するユーザが会場と同じ香りを体験できるように構成することもできる。例えば、イベントに参加できないユーザもイベント用の所定のカートリッジＩＤが記録された芳香カートリッジ１４を購入し発香アダプタ１３に装填しておくことで、イベント主催者より順次送信されてくる発香指示を伴うメッセージに従い、イベント会場におけるものと同じ香りの発香を端末装置１２に行わせることができる。従って、そのユーザはテレビや端末装置１２に表示されるイベントの映像を見ながら香りを楽しむことで、イベント会場にいるイベント参加者と類似の体験を行うことができる。
【０１６０】
また、インスタントメッセージングシステム１において、ユーザ間のアクセスは、ユーザデータベース（図８参照）のメッセージフレンズ判定条件データや通話フレンズ判定条件データ、カートリッジデータベース（図９参照）のアクセス条件データに従い、ユーザデータベースに登録されているユーザの各種属性データやユーザが装填している芳香カートリッジ１４に関しカートリッジデータベースに登録されている各種属性データ等に基づき、その許可および制限が行われるものとしたが、それらの条件データの内容、記憶場所、条件データに従いアクセスの許可・制限の基準として用いられる属性の種別等は様々に選択可能である。
【０１６１】
例えば、アクセス条件データを、メッセージングサーバ装置１１により管理されるカートリッジデータベースにではなく、芳香カートリッジ１４のメモリチップ１４３に記憶させておいてもよい。その場合、例えば、メッセージ交換や通話の要求を受け取った端末装置１２が、その時に自機に装填されている芳香カートリッジ１４のメモリチップ１４３に記憶されているアクセス条件データを読み出すとともに、要求の送信元のユーザや芳香カートリッジ１４の属性データをメッセージングサーバ装置１１から取得し、メッセージングサーバ装置１１から取得した属性データがメモリチップ１４３から読み出したアクセス条件データを満たすか否かを判定するようにメッセージングアプリを構成すればよい。
【０１６２】
また、上述した実施例においては、アクセス条件データの例として、カートリッジＩＤが連番であるペアの芳香カートリッジ１４を装填しているユーザ間のみ、メッセージ交換を許可することを意味する「ペアＩＤ→メッセージ交換許可」を紹介した。そのようなペアの芳香カートリッジ１４を、購入したユーザが切り離し可能に一体に成形してもよい。そのようなペアとなる芳香カートリッジ１４は、典型的には、カップルの男女の各々により装填されてそれら男女のメッセージ交換に利用される。従って、コンビニエンスストアなどで一体に成形された２個の芳香カートリッジ１４を購入したカップルがそれらの芳香カートリッジ１４をその場で切り離して分け合うことで、同じ物を共有し、カップルとしての関係を確かめ合うことができる。
【０１６３】
また、アクセス条件データの他の一例として、特定のカートリッジ種別ＩＤの記録された芳香カートリッジ１４を装填している端末装置１２のユーザは、所定回数（例えば１０回）に限り、特定の他のユーザとの間のメッセージ交換が許可される、というものが考えられる。例えば、人気の芸能人との間のメッセージ交換が所定回数に限り許可されるアクセス条件データの設定された芳香カートリッジ１４を販売することで、その芸能人のファンはその芳香カートリッジ１４を購入し、芸能人と香りを伴うメッセージ交換を楽しむことができる。
【０１６４】
なお、上述した実施例において用いられている具体的な数値、画面の構成、データの構成、処理の順序等は本発明を説明するための例示であって、本発明はそれらの具体的内容により限定されない。
【産業上の利用可能性】
【０１６５】
本発明は、広く一般個人が情報交換を行うために有効であり、発香アダプタや芳香カートリッジが数多く製造・販売されることで製造業や卸売業・小売業などのサービス業に貢献する。
【符号の説明】
【０１６６】
１…インスタントメッセージングシステム、１１…メッセージングサーバ装置、１２…端末装置、１３…発香アダプタ、１４…芳香カートリッジ、１５…占い情報提供サーバ装置、１９…インターネット、１１１…受信部、１１２…送信部、１１３…記憶部、１１４…演算部、１２１…受信部、１２２…送信部、１２３…記憶部、１２４…表示部、１２５…入力部、１２６…制御部、１３１…データ入出力端子、１３２…中空部、１３３…放出部、１３４…読取部、１３５…書込部、１３６…残量計測部、１３７…制御部、１４１…噴霧孔、１４２…ボタン、１４３…メモリチップ、１５１…受信部、１５２…送信部、１５３…記憶部、１５４…演算部
【図１】
0005250794.tif 000002
【図２】
0005250794.tif 000003
【図３】
0005250794.tif 000004
【図４】
0005250794.tif 000005
【図５】
0005250794.tif 000006
【図６】
0005250794.tif 000007
【図７】
0005250794.tif 000008
【図８】
0005250794.tif 000009
【図９】
0005250794.tif 000010
【図１０】
0005250794.tif 000011
【図１１】
0005250794.tif 000012
【図１２】
0005250794.tif 000013
【図１３】
0005250794.tif 000014
【図１４】
0005250794.tif 000015
【図１５】
0005250794.tif 000016
【図１６】
0005250794.tif 000017
【図１７】
0005250794.tif 000018
【図１８】
0005250794.tif 000019